(57)【特許請求の範囲】
【請求項１】
顧客の端末とネットワークを介して接続される、製品の製造者のコンピュータが、製品の設計を段階的に行なう遠隔受注設計方法であって、
前記コンピュータは、
製品に要求される仕様ごとに、当該仕様を満たす製品機種の機種仕様と、当該製品機種の価格とを対応付けて記憶する第１のデータベースと、
製品に使用可能なオプション仕様、及び、製品の意匠の仕様である意匠仕様の各々ごとに、当該仕様を製品に使用した場合の価格である見積り価格を対応づけて記憶する第２のデータベースと、
設計を識別する情報である案件識別情報と対応付けられ当該設計の設計段階を含む設計済み情報であって、設計の段階を示す段階情報ごとに、当該段階の情報を取得するために顧客が提供した情報である顧客提供情報と、当該顧客が取得した当該段階の情報である取得情報とが対応付けられている設計済み情報と、設計を識別する情報である案件識別情報と対応付けられ、当該設計の仕様を示す仕様管理情報を記憶する第３のデータベースと、
製品に要求される仕様ごとのＣＡＤシンボル情報であって、当該仕様を満たす製品の構造を示す構造情報と、当該仕様を満たす製品の占有スペースを示す有効スペース情報とを含むＣＡＤシンボル情報を記憶する第４のデータベースと、
第５のデータベースと、
第６のデータベースと、
意匠仕様ごとに、当該意匠仕様の意匠データと、当該意匠仕様のパースデータとを対応づけて記憶する第７のデータベースと、を有する記憶装置と、
演算装置と、
を有し、
前記演算装置が、
機種計画提供ステップと、
ＣＡＤシンボル提供ステップと、
据付図提供ステップと、
意匠図提供ステップと、
を実行し、
前記機種計画提供ステップは、
製品に要求する仕様を入力するための情報を前記顧客の端末に送信し、
前記顧客の端末から送信された仕様を受信すると、前記第１のデータベースから、当該受信した仕様と一致する仕様と対応付けられた機種仕様を取得し、当該取得した機種仕様を、前記顧客の端末に送信し、
前記顧客の端末から送信された、製品に要求される仕様と、機種仕様とを含む登録要求を受信すると、機種計画段階を示す情報と、前記登録要求に含まれる仕様と、前記登録要求に含まれる機種仕様との各々を、前記設計済み情報の段階情報と顧客提供情報と取得情報との各々として対応付け、当該設計済み情報に、生成した案件識別情報を対応づけて前記第３のデータベースに記憶させ、前記登録要求に含まれる機種仕様を前記仕様管理情報とし、当該仕様管理情報に前記生成した案件識別情報を対応付けて前記第３のデータベースに記憶させ、
前記ＣＡＤシンボル提供ステップは、
前記顧客の端末からの案件識別情報を受信すると、前記第３のデータベースから、当該案件識別情報と一致する案件識別情報と対応付けられている前記設計済み情報の顧客提供情報と取得情報を取得して当該顧客の端末に送信し、
前記顧客の端末から、製品に要求する仕様を含むＣＡＤシンボル要求を受信すると、前記第４のデータベースから、前記ＣＡＤシンボル要求に含まれる仕様に該当するＣＡＤシンボル情報を取得し、当該取得したＣＡＤシンボル情報を当該顧客の端末に送信し、
前記顧客の端末から送信された、案件識別情報と、製品に要求する仕様と、ＣＡＤシンボル情報とを含む登録要求を受信すると、ＣＡＤシンボル段階を示す情報と、前記登録要求に含まれる仕様と、前記登録要求に含まれるＣＡＤシンボル情報との各々を、前記設計済み情報の段階情報と顧客提供情報と取得情報との各々として対応付け、当該設計済み情報に前記登録要求に含まれる案件識別情報を対応付けて、前記第３のデータベースに記憶させ、前記登録要求に含まれている仕様の各々を仕様管理情報とし、当該仕様管理情報に前記登録要求に含まれる案件識別情報を対応づけて、前記第３のデータベースに記憶させ、
前記据付図提供ステップは、
前記顧客の端末からの案件識別情報を受信すると、前記第３のデータベースから、当該案件識別情報と一致する案件識別情報と対応付けられている前記設計済み情報の顧客提供情報を取得して当該顧客の端末に送信し、
前記顧客の端末から、案件識別情報と、前記製造者の製造する製品を用いる設計物のデータである設計物データに前記送信したＣＡＤシンボル情報を位置決めした設計図データとを含む据付図作成要求を受信すると、当該据付図作成要求に含まれる設計図データを、当該据付図作成要求に含まれる案件識別情報と対応付けて、前記第５のデータベースに記憶させ、
前記設計図データに含まれる設計物データとＣＡＤシンボル情報に含まれる占有スペース情報とから、当該設計物データにおける設計物と当該ＣＡＤシンボル情報に示される製品との干渉の有無を判定し、
前記判定の結果、干渉がない場合、前記設計図データを用いて作成された据付図を、前記受信した据付図作成要求に含まれる案件識別情報と対応付けて、前記第６のデータベースに記憶させ、
据付図段階を示す情報と、前記設計図データを示す情報と、前記設計図データを用いて作成された据付図を示す情報との各々を、前記設計済み情報の段階情報と顧客提供情報と取得情報との各々として対応づけ、当該設計済み情報に、前記据付図作成要求に含まれる案件識別情報を対応づけて、前記第３のデータベースに記憶させ、
前記顧客の端末から、案件識別情報を含むデータ要求を受信すると、前記第６のデータベースから、前記データ要求に含まれている案件識別情報と一致する案件識別情報と対応付けられている据付図を取得し、当該据付図を前記顧客の端末に送信し、
前記意匠図作成ステップは、
前記顧客の端末からの意匠仕様を受信すると、前記第７のデータベースから、当該受信した意匠仕様と対応付けられているパースデータを取得し、当該取得したパースデータを当該顧客の端末に送信し、
前記顧客の端末から、案件識別情報と、意匠仕様と、パースデータを示す情報とを含む登録要求を受信すると、前記登録要求に含まれている意匠仕様の各々を仕様管理情報とし、当該仕様管理情報に前記登録要求に含まれる案件識別情報を対応づけて、前記第３のデータベースに記憶させ、意匠図段階を示す情報と、前記登録要求に含まれる意匠仕様と、前記登録要求に含まれるパースデータを示す情報との各々を、前記設計済み情報の段階情報と顧客提供情報と取得情報との各々として記憶させ、当該設計済み情報に前記登録要求に含まれる案件識別情報を対応付けて、前記第３のデータベースに記憶させ、
前記顧客の端末から、案件識別情報を含むデータ要求を受信すると、前記第３のデータベースの、当該データ要求に含まれる案件識別情報と一致する案件識別情報と対応付けられている前記設計済み情報から、段階情報が意匠図段階を示す情報と対応付けられている取得情報であるパースデータを示す情報を取得し、前記第７のデータベースから、当該取得したパースデータを示す情報に該当するパースデータと対応付けられている意匠データを取得し、当該取得した意匠データを前記顧客の端末に送信し、
前記機種計画提供ステップは、
前記顧客の端末から送信された、製品に要求する仕様を含む見積もり要求を受信した場合、
前記第１のデータベースから、当該見積もり要求に含まれる仕様と対応付けられた価格を取得し、当該見積もり要求に含まれる仕様にオプション仕様が含まれている場合、前記第２のデータベースから、当該オプション仕様と一致する仕様と対応付けられている見積り価格を取得し、当該取得した価格と見積り価格とを、当該顧客の端末に送信し、
前記ＣＡＤシンボル提供ステップは、
前記顧客の端末から、オプション仕様を含む見積もり要求を受信した場合、
前記第２のデータベースから、前記見積もり要求に含まれるオプション仕様と一致するオプション仕様と対応付けられている見積り価格を取得し、当該取得した見積り価格を当該顧客の端末に送信し、
前記意匠図作成ステップは、
前記顧客の端末から、意匠仕様を含む見積もり要求を受信した場合、
前記第２のデータベースから、前記見積もり要求に含まれる意匠仕様と一致する意匠仕様と対応付けられている見積り価格を取得し、当該取得した見積り価格を当該顧客の端末に送信すること
を特徴とする遠隔受注設計方法。
【請求項２】
顧客の端末とネットワークを介して接続され、製品の設計を段階的に行なう、製品の製造者の遠隔受注設計装置であって、
製品に要求される仕様ごとに、当該仕様を満たす製品機種の機種仕様と、当該製品機種の価格とを対応付けて記憶する第１のデータベースと、
製品に使用可能なオプション仕様、及び、製品の意匠の仕様である意匠仕様の各々ごとに、当該仕様を製品に使用した場合の価格である見積り価格を対応づけて記憶する第２のデータベースと、
設計を識別する情報である案件識別情報と対応付けられ当該設計の設計段階を含む設計済み情報であって、設計の段階を示す段階情報ごとに、当該段階の情報を取得するために顧客が提供した情報である顧客提供情報と、当該顧客が取得した当該段階の情報である取得情報とが対応付けられている設計済み情報と、設計を識別する情報である案件識別情報と対応付けられ、当該設計の仕様を示す仕様管理情報を記憶する第３のデータベースと、
製品に要求される仕様ごとのＣＡＤシンボル情報であって、当該仕様を満たす製品の構造を示す構造情報と、当該仕様を満たす製品の占有スペースを示す有効スペース情報とを含むＣＡＤシンボル情報を記憶する第４のデータベースと、
第５のデータベースと、
第６のデータベースと、
意匠仕様ごとに、当該意匠仕様の意匠データと、当該意匠仕様のパースデータとを対応づけて記憶する第７のデータベースと、を有する記憶装置と、
機種計画提供手段と、
ＣＡＤシンボル提供手段と、
据付図提供手段と、
意匠図提供手段と、
を有し、
前記機種計画提供手段は、
製品に要求する仕様を入力するための情報を前記顧客の端末に送信し、
前記顧客の端末から送信された仕様を受信すると、前記第１のデータベースから、当該受信した仕様と一致する仕様と対応付けられた機種仕様を取得し、当該取得した機種仕様を、前記顧客の端末に送信し、
前記顧客の端末から送信された、製品に要求される仕様と、機種仕様とを含む登録要求を受信すると、機種計画段階を示す情報と、前記登録要求に含まれる仕様と、前記登録要求に含まれる機種仕様との各々を、前記設計済み情報の段階情報と顧客提供情報と取得情報との各々として対応付け、当該設計済み情報に、生成した案件識別情報を対応づけて前記第３のデータベースに記憶させ、前記登録要求に含まれる機種仕様を前記仕様管理情報とし、当該仕様管理情報に前記生成した案件識別情報を対応付けて前記第３のデータベースに記憶させ、
前記ＣＡＤシンボル提供手段は、
前記顧客の端末からの案件識別情報を受信すると、前記第３のデータベースから、当該案件識別情報と一致する案件識別情報と対応付けられている前記設計済み情報の顧客提供情報と取得情報を取得して当該顧客の端末に送信し、
前記顧客の端末から、製品に要求する仕様を含むＣＡＤシンボル要求を受信すると、前記第４のデータベースから、前記ＣＡＤシンボル要求に含まれる仕様に該当するＣＡＤシンボル情報を取得し、当該取得したＣＡＤシンボル情報を当該顧客の端末に送信し、
前記顧客の端末から送信された、案件識別情報と、製品に要求する仕様と、ＣＡＤシンボル情報とを含む登録要求を受信すると、ＣＡＤシンボル段階を示す情報と、前記登録要求に含まれる仕様と、前記登録要求に含まれるＣＡＤシンボル情報との各々を、前記設計済み情報の段階情報と顧客提供情報と取得情報との各々として対応付け、当該設計済み情報に前記登録要求に含まれる案件識別情報を対応付けて、前記第３のデータベースに記憶させ、前記登録要求に含まれている仕様の各々を仕様管理情報とし、当該仕様管理情報に前記登録要求に含まれる案件識別情報を対応づけて、前記第３のデータベースに記憶させ、
前記据付図提供手段は、
前記顧客の端末からの案件識別情報を受信すると、前記第３のデータベースから、当該案件識別情報と一致する案件識別情報と対応付けられている前記設計済み情報の顧客提供情報を取得して当該顧客の端末に送信し、
前記顧客の端末から、案件識別情報と、前記製造者の製造する製品を用いる設計物のデータである設計物データに前記送信したＣＡＤシンボル情報を位置決めした設計図データとを含む据付図作成要求を受信すると、当該据付図作成要求に含まれる設計図データを、当該据付図作成要求に含まれる案件識別情報と対応付けて、前記第５のデータベースに記憶させ、
前記設計図データに含まれる設計物データとＣＡＤシンボル情報に含まれる占有スペース情報とから、当該設計物データにおける設計物と当該ＣＡＤシンボル情報に示される製品との干渉の有無を判定し、
前記判定の結果、干渉がない場合、前記設計図データを用いて作成された据付図を、前記受信した据付図作成要求に含まれる案件識別情報と対応付けて、前記第６のデータベースに記憶させ、
据付図段階を示す情報と、前記設計図データを示す情報と、前記設計図データを用いて作成された据付図を示す情報との各々を、前記設計済み情報の段階情報と顧客提供情報と取得情報との各々として対応づけ、当該設計済み情報に、前記据付図作成要求に含まれる案件識別情報を対応づけて、前記第３のデータベースに記憶させ、
前記顧客の端末から、案件識別情報を含むデータ要求を受信すると、前記第６のデータベースから、前記データ要求に含まれている案件識別情報と一致する案件識別情報と対応付けられている据付図を取得し、当該据付図を前記顧客の端末に送信し、
前記意匠図作成手段は、
前記顧客の端末からの意匠仕様を受信すると、前記第７のデータベースから、当該受信した意匠仕様と対応付けられているパースデータを取得し、当該取得したパースデータを当該顧客の端末に送信し、
前記顧客の端末から、案件識別情報と、意匠仕様と、パースデータを示す情報とを含む登録要求を受信すると、前記登録要求に含まれている意匠仕様の各々を仕様管理情報とし、当該仕様管理情報に前記登録要求に含まれる案件識別情報を対応づけて、前記第３のデータベースに記憶させ、意匠図段階を示す情報と、前記登録要求に含まれる意匠仕様と、前記登録要求に含まれるパースデータを示す情報との各々を、前記設計済み情報の段階情報と顧客提供情報と取得情報との各々として記憶させ、当該設計済み情報に前記登録要求に含まれる案件識別情報を対応付けて、前記第３のデータベースに記憶させ、
前記顧客の端末から、案件識別情報を含むデータ要求を受信すると、前記第３のデータベースの、当該データ要求に含まれる案件識別情報と一致する案件識別情報と対応付けられている前記設計済み情報から、段階情報が意匠図段階を示す情報と対応付けられている取得情報であるパースデータを示す情報を取得し、前記第７のデータベースから、当該取得したパースデータを示す情報に該当するパースデータと対応付けられている意匠データを取得し、当該取得した意匠データを前記顧客の端末に送信し、
前記機種計画提供手段は、
前記顧客の端末から送信された、製品に要求する仕様を含む見積もり要求を受信した場合、
前記第１のデータベースから、当該見積もり要求に含まれる仕様と対応付けられた価格を取得し、当該見積もり要求に含まれる仕様にオプション仕様が含まれている場合、前記第２のデータベースから、当該オプション仕様と一致する仕様と対応付けられている見積り価格を取得し、当該取得した価格と見積り価格とを、当該顧客の端末に送信し、
前記ＣＡＤシンボル提供手段は、
前記顧客の端末から、オプション仕様を含む見積もり要求を受信した場合、
前記第２のデータベースから、前記見積もり要求に含まれるオプション仕様と一致するオプション仕様と対応付けられている見積り価格を取得し、当該取得した見積り価格を当該顧客の端末に送信し、
前記意匠図作成手段は、
前記顧客の端末から、意匠仕様を含む見積もり要求を受信した場合、
前記第２のデータベースから、前記見積もり要求に含まれる意匠仕様と一致する意匠仕様と対応付けられている見積り価格を取得し、当該取得した見積り価格を当該顧客の端末に送信すること
を特徴とする遠隔受注設計方法。
【発明の詳細な説明】
【技術分野】
【０００１】
本発明は、顧客の承認を得ながら段階的に設計を進めてゆく必要がある受注生産品の設計支援技術に関する。
【背景技術】
【０００２】
設計者とユーザとの間の情報交換にインターネットを利用する技術として、特開２０００−３４８０７９号公報記載の技術が知られている。この技術(以下、従来の技術と呼ぶ)においては、ユーザが、設計者側のサーバからダウンロードした部品等のＣＡＤシンボルを用いて、自己の希望する住宅の設計データを試行錯誤(部品の追加、削除、変更)しながら作成し、その設計データを設計依頼として設計者側のサーバに送信すると、設計者が、その設計データに基づき、ユーザの要求にあった正確な設計図を作成する、という手順が踏まれる。ユーザは、設計データの作成中であればいつでも、その時点までに、自分が選択した部品等の合計金額の見積りを知ることができる。
【発明の開示】
【発明が解決しようとする課題】
【０００３】
ところで、住宅に限らず受注生産品に関して、ユーザは、予算の枠のなかで、なるべく自己の理想に近い完成品を得ることを望んでいる。完成品イメージがまだ詳細化されていない初期の段階等では、ユーザの予算は、通常、完成品全体の価格として概算された額であり、その内訳まで細かく予定されていることは少ない。したがって、部品を選ぶごとにその価格が加算された合計金額が見積りとして提示されても、完成品イメージがまだ詳細化されていない初期段階では、ユーザが、その見積り額から、完成品の購入価格が最終的に予算におさまるかどうかを判断するのは困難である。このため、設計の最終段階に近づいてから予算オーバーであることが判明してしまい、完成品の購入価格を予算内に抑えるための大幅な設計変更が必要となったり、ユーザが設計依頼を断念するケースも生じ得る。
【０００４】
そこで、本発明は、ユーザの完成品イメージが詳細化されていない段階に、完成品の購入価格を見積もることができる情報処理システムを提供することを目的とする。
【課題を解決するための手段】
【０００５】
上記課題を解決するため、本発明は、顧客の端末とネットワークを介して接続される、製品の製造者のコンピュータが、製品の設計を段階的に行なう遠隔受注設計方法であって、前記コンピュータは、製品に要求される仕様ごとに、当該仕様を満たす製品機種の機種仕様と、当該製品機種の価格とを対応付けて記憶する第１のデータベースと、製品に使用可能なオプション仕様、及び、製品の意匠の仕様である意匠仕様の各々ごとに、当該仕様を製品に使用した場合の価格である見積り価格を対応づけて記憶する第２のデータベースと、設計を識別する情報である案件識別情報と対応付けられ当該設計の設計段階を含む設計済み情報であって、設計の段階を示す段階情報ごとに、当該段階の情報を取得するために顧客が提供した情報である顧客提供情報と、当該顧客が取得した当該段階の情報である取得情報とが対応付けられている設計済み情報と、設計を識別する情報である案件識別情報と対応付けられ、当該設計の仕様を示す仕様管理情報を記憶する第３のデータベースと、製品に要求される仕様ごとのＣＡＤシンボル情報であって、当該仕様を満たす製品の構造を示す構造情報と、当該仕様を満たす製品の占有スペースを示す有効スペース情報とを含むＣＡＤシンボル情報を記憶する第４のデータベースと、第５のデータベースと、第６のデータベースと、意匠仕様ごとに、当該意匠仕様の意匠データと、当該意匠仕様のパースデータとを対応づけて記憶する第７のデータベースと、を有する記憶装置と、演算装置と、を有し、前記演算装置が、機種計画提供ステップと、ＣＡＤシンボル提供ステップと、据付図提供ステップと、意匠図提供ステップと、を実行し、前記機種計画提供ステップは、製品に要求する仕様を入力するための情報を前記顧客の端末に送信し、前記顧客の端末から送信された仕様を受信すると、前記第１のデータベースから、当該受信した仕様と一致する仕様と対応付けられた機種仕様を取得し、当該取得した機種仕様を、前記顧客の端末に送信し、前記顧客の端末から送信された、製品に要求される仕様と、機種仕様とを含む登録要求を受信すると、機種計画段階を示す情報と、前記登録要求に含まれる仕様と、前記登録要求に含まれる機種仕様との各々を、前記設計済み情報の段階情報と顧客提供情報と取得情報との各々として対応付け、当該設計済み情報に、生成した案件識別情報を対応づけて前記第３のデータベースに記憶させ、前記登録要求に含まれる機種仕様を前記仕様管理情報とし、当該仕様管理情報に前記生成した案件識別情報を対応付けて前記第３のデータベースに記憶させ、前記ＣＡＤシンボル提供ステップは、前記顧客の端末からの案件識別情報を受信すると、前記第３のデータベースから、当該案件識別情報と一致する案件識別情報と対応付けられている前記設計済み情報の顧客提供情報と取得情報を取得して当該顧客の端末に送信し、前記顧客の端末から、製品に要求する仕様を含むＣＡＤシンボル要求を受信すると、前記第４のデータベースから、前記ＣＡＤシンボル要求に含まれる仕様に該当するＣＡＤシンボル情報を取得し、当該取得したＣＡＤシンボル情報を当該顧客の端末に送信し、前記顧客の端末から送信された、案件識別情報と、製品に要求する仕様と、ＣＡＤシンボル情報とを含む登録要求を受信すると、ＣＡＤシンボル段階を示す情報と、前記登録要求に含まれる仕様と、前記登録要求に含まれるＣＡＤシンボル情報との各々を、前記設計済み情報の段階情報と顧客提供情報と取得情報との各々として対応付け、当該設計済み情報に前記登録要求に含まれる案件識別情報を対応付けて、前記第３のデータベースに記憶させ、前記登録要求に含まれている仕様の各々を仕様管理情報とし、当該仕様管理情報に前記登録要求に含まれる案件識別情報を対応づけて、前記第３のデータベースに記憶させ、前記据付図提供ステップは、前記顧客の端末からの案件識別情報を受信すると、前記第３のデータベースから、当該案件識別情報と一致する案件識別情報と対応付けられている前記設計済み情報の顧客提供情報を取得して当該顧客の端末に送信し、前記顧客の端末から、案件識別情報と、前記製造者の製造する製品を用いる設計物のデータである設計物データに前記送信したＣＡＤシンボル情報を位置決めした設計図データとを含む据付図作成要求を受信すると、当該据付図作成要求に含まれる設計図データを、当該据付図作成要求に含まれる案件識別情報と対応付けて、前記第５のデータベースに記憶させ、前記設計図データに含まれる設計物データとＣＡＤシンボル情報に含まれる占有スペース情報とから、当該設計物データにおける設計物と当該ＣＡＤシンボル情報に示される製品との干渉の有無を判定し、前記判定の結果、干渉がない場合、前記設計図データを用いて作成された据付図を、前記受信した据付図作成要求に含まれる案件識別情報と対応付けて、前記第６のデータベースに記憶させ、据付図段階を示す情報と、前記設計図データを示す情報と、前記設計図データを用いて作成された据付図を示す情報との各々を、前記設計済み情報の段階情報と顧客提供情報と取得情報との各々として対応づけ、当該設計済み情報に、前記据付図作成要求に含まれる案件識別情報を対応づけて、前記第３のデータベースに記憶させ、前記顧客の端末から、案件識別情報を含むデータ要求を受信すると、前記第６のデータベースから、前記データ要求に含まれている案件識別情報と一致する案件識別情報と対応付けられている据付図を取得し、当該据付図を前記顧客の端末に送信し、前記意匠図作成ステップは、前記顧客の端末からの意匠仕様を受信すると、前記第７のデータベースから、当該受信した意匠仕様と対応付けられているパースデータを取得し、当該取得したパースデータを当該顧客の端末に送信し、前記顧客の端末から、案件識別情報と、意匠仕様と、パースデータを示す情報とを含む登録要求を受信すると、前記登録要求に含まれている意匠仕様の各々を仕様管理情報とし、当該仕様管理情報に前記登録要求に含まれる案件識別情報を対応づけて、前記第３のデータベースに記憶させ、意匠図段階を示す情報と、前記登録要求に含まれる意匠仕様と、前記登録要求に含まれるパースデータを示す情報との各々を、前記設計済み情報の段階情報と顧客提供情報と取得情報との各々として記憶させ、当該設計済み情報に前記登録要求に含まれる案件識別情報を対応付けて、前記第３のデータベースに記憶させ、前記顧客の端末から、案件識別情報を含むデータ要求を受信すると、前記第３のデータベースの、当該データ要求に含まれる案件識別情報と一致する案件識別情報と対応付けられている前記設計済み情報から、段階情報が意匠図段階を示す情報と対応付けられている取得情報であるパースデータを示す情報を取得し、前記第７のデータベースから、当該取得したパースデータを示す情報に該当するパースデータと対応付けられている意匠データを取得し、当該取得した意匠データを前記顧客の端末に送信し、前記機種計画提供ステップは、前記顧客の端末から送信された、製品に要求する仕様を含む見積もり要求を受信した場合、前記第１のデータベースから、当該見積もり要求に含まれる仕様と対応付けられた価格を取得し、当該見積もり要求に含まれる仕様にオプション仕様が含まれている場合、前記第２のデータベースから、当該オプション仕様と一致する仕様と対応付けられている見積り価格を取得し、当該取得した価格と見積り価格とを、当該顧客の端末に送信し、前記ＣＡＤシンボル提供ステップは、前記顧客の端末から、案件識別情報と、オプション仕様とを含む見積もり要求を受信した場合、前記第２のデータベースから、前記見積もり要求に含まれるオプション仕様と一致するオプション仕様と対応付けられている見積り価格を取得し、当該取得した見積り価格を当該顧客の端末に送信し、前記意匠図作成ステップは、前記顧客の端末から、案件識別情報と、意匠仕様とを含む見積もり要求を受信した場合、前記第２のデータベースから、前記見積もり要求に含まれる意匠仕様と一致する意匠仕様と対応付けられている見積り価格を取得し、当該取得した見積り価格を当該顧客の端末に送信することを特徴とする。
【発明の効果】
【０００６】
本発明によれば、希望通りの製品の入手を希望する依頼者とそれを受注する業者とのあいだの一連の取引手続をネットワーク経由で行うことができる上、依頼者は、完成品イメージが詳細化されていない段階であっても、完成品の購入価格を見積もることができる。
【発明を実施するための最良の形態】
【０００７】
以下、添付の図面を参照しながら、本発明に係る実施の一形態について説明する。ただし、ここでは、インターネット上のユーザ(建築設計者)からの要求に応じて、設備設計者(エレベータ設計者)および意匠設計者(エレベータカゴ内装設計者)がエレベータの設計を段階的に進めるビジネスを一例として挙げることとする。
【０００８】
最初に、本実施の形態に係るネットワークシステムの構成について説明する。
【０００９】
図１に示すように、このネットワークシステムには、建築設計者側の情報処理システムと、設備設計者側の情報処理システムと、が含まれている。
【００１０】
建築設計者側の情報処理システムには、インターネットに接続されたＷＷＷ(world wide web)クライアントである１台以上のユーザ端末６０(以下、建築設計者用端末６０と呼ぶ)が含まれている。この建築設計者用端末６０は、ユーザの入力等に応じてプログラム実行可能な通常のハードウエア構成を有する情報処理装置であり、その内蔵ハードディスクには、ＷＷＷを利用するために必要なブラウザ６１、標準プロダクトモデル対応のＣＡＤプログラム、ＯＳ(Operation System)等の各種プログラムがあらかじめインストールされている。なお、この建築設計者用端末６０には、入力装置６２(マウス、キーボード等)、エレベータ設計支援サイトの一連のＷｅｂページ(後述)等が表示されるディスプレイ装置６３が接続されている。
【００１１】
一方、設備設計者側の情報処理システムには、インターネットに接続されたＷＷＷサーバ１０、データベースサーバ２０、複数のユーザ端末３０,４０、これらを相互に接続しているＬＡＮ５０(local area network)、等が含まれている。
【００１２】
ＷＷＷサーバ１０は、外部からの指示に応じて、メモリ上にプログラムをロードし、それを実行することができる通常のハードウエア構成を有する情報処理装置であり、その内蔵ハードディスクには、ブラウザからリクエストを受け付けると利用可能なファイルをブラウザに与えるｈｔｔｐｄ(HyperText Transfer Protocl Daemon)、ｈｔｔｐｄからのデータを処理するＣＧＩ(Common Gateway Interface)スクリプト、ＣＧＩスクリプトによって起動されるエレベータ設計支援プログラム、ＯＳ(Operation System)、等のソフトウエアがインストールされている。なお、これらのソフトウエアは、いずれも、可搬型記憶媒体からインストールされたものであると、ネットワークを介してインストールされたものであるとを問わない。
【００１３】
さらに、ＷＷＷサーバ１０の内蔵ハードディスクには、建築設計者用端末６０のディスプレイ装置６３にエレベータ設計支援サイトの一連のＷｅｂページ(後述)を表示させるためのＨＴＭＬドキュメントも格納されている。
【００１４】
ＷＷＷサーバ１０は、これらのソフトウエアおよびＣＰＵ等のハードウエアにより実現される機能構成として、(1)エレベータの設計に必要な情報を段階的に受け付けるデータ受付部１８、(2)エレベータの購入価格の見積り依頼を建築設計者から受け付けると、エレベータ購入価格の見積り額を提供する価格見積り依頼受付け部１６、(3)エレベータの据付け構造の検討依頼を建築設計者から受け付けると、エレベータの据付図データを建築設計者側から取出し可能とする据付図作図依頼受付け部１３、を有している。ここで、データ受付部１８には、(4)エレベータの設置建屋に関する情報(建屋の用途、建屋のフロアー数、建屋の各フロアーの居住人口等)を建築設計者から受け付けると、エレベータ機種・台数計画案を建築設計者に提供するエレベータ機種・台数計画案作成受付け部１１、(5)エレベータ本体についての要求仕様データを建築設計者から受け付けると、その要求仕様データに合致するエレベータのＣＡＤシンボルを建築設計者に提供するシンボル提供依頼受付け部１２、(6)エレベータ内装についての要求仕様データを建築設計者から受け付けると、その要求仕様データに合致する意匠図データおよびパースデータを建築設計者に提供する意匠図作図依頼受付け部１５、(7)エレベータ内装についての特殊な要求仕様データを建築設計者から受け付けるとともに、その要求仕様データに合致した意匠図データおよびパースデータを建築設計者に提供するデザインイメージ生成依頼受付け部１４、が含まれている。
【００１５】
データベースサーバ２０は、外部からの指示に応じてプログラムを実行可能な通常のハードウエア構成を有する情報処理装置であり、その内蔵ハードディスクには、データベース検索等のデータベース処理が定義されたデータベース管理システムプログラム、データ通信制御プログラム、ＯＳ等がインストールされている。そして、このデータベースサーバ２０は、データベース管理システムプログラムのデータベース処理対象となる以下のデータベース２１Ａ〜２１Ｇが格納された外部記憶装置２１を有している。
【００１６】
エレベータ機種・基本価格・台数計画情報データベース２１Ａには、建屋の用途(オフィスビル、マンション等)ごとに、その用途の建屋のために作成されたエレベータ機種・基本価格・台数計画マップがそれぞれ登録されている。各エレベータ機種・基本価格・台数計画マップは、いずれも、建屋のフロアー数および居住人口の組合せを検索キーとして、推奨エレベータ機種・基本価格・台数計画情報、すなわち、推奨エレベータのカゴ容量(定員、積載荷重等)、推奨エレベータの搬送速度、推奨エレベータ１台当たりの基本価格、推奨エレベータの設置台数を取得することができるようになっている。例えば、オフィスビルについてのエレベータ機種・基本価格・台数計画マップのデータ構造は、概念的に、図２のように示される。このエレベータ機種・基本価格・台数計画マップは、オフィスビルのフロアー数２０４および居住人口２０４と、推奨エレベータ機種・基本価格・台数計画情報(推奨エレベータのカゴ容量２００と、推奨エレベータの搬送速度２０１と、推奨エレベータ本体１台当たりの基本価格２０２と、推奨エレベータの設置台数２０３)と、を対応付けている。このため、このエレベータ機種・基本価格・台数計画マップによれば、例えば、フロアー数「１０階」および居住人口「３００人」のオフィスビルに対する推奨エレベータ機種・基本価格・台数計画情報として、搬送速度「１０５ｍ／ｍｉｎ」、カゴ容量「９人」、エレベータ本体１台当たりの基本価格「Ｅ円」、設置台数「２台」を取得することができる。なお、図２に示した具体的な数値は、説明の便宜上、一例として入れたものに過ぎない。
【００１７】
オプション価格データベース２１Ｂには、図３に示すように、エレベータの本体および意匠のオプション仕様項目の仕様として選択可能なオプション仕様ごとに、オプション仕様データ３００、オプション見積り価格３０１が登録されている。このため、このオプション価格データベース２１Ｂによれば、建築設計者が希望するオプション仕様データを検索キーとして、そのオプション仕様のオプション見積り価格、すなわち、そのオプション仕様を施した場合にエレベータ本体の基本価格に上乗せされる金額を取得することができる。
【００１８】
顧客仕様管理データベース２１Ｃには、依頼案件ごとに、その案件に割り当てられた案件ＩＤ、その案件に関する総合仕様管理情報、その案件についての検討済み情報、付加情報(建築設計者のメールアドレス等)が登録される。
【００１９】
この顧客仕様管理データベース２１Ｃに登録された各案件の総合仕様管理情報には、各エレベータの号数および仕様管理情報が含まれている。そして、図４に示すように、各エレベータの仕様管理情報４００には、建築設計者が仕様を選択することができるオプション仕様項目ごとに、それぞれ、オプション仕様項目名４０１、そのオプション仕様項目について選択された仕様の仕様データ４０２および見積り価格４０３が格納されている。それぞれの仕様データ４０２および見積り価格４０３のフィールドには、当初、エレベータの設置建屋の用途に応じてあらかじめ定めた仕様の仕様データおよび見積り価格がデフォルト値として記述されているが、その後、建築設計者が、オプション仕様のなかから適当なオプション仕様を選択すると、このオプション仕様のオプション仕様データおよび見積り価格が上書きされる。なお、オプション仕様項目４０１の仕様データ４０２として記述される空値は、そのオプション仕様項目に関連する施工が行われないことを示す。
【００２０】
また、図５に示すように、顧客仕様管理データベース２１Ｃに登録された各案件の検討済み情報５００には、建築設計者に順次提供される各サービスごとに、サービス名５０１、建築設計者がサービス提供を受けた日付けを表す情報(サービス提供日)５０２、サービス提供を受けるために建築設計者が提供した情報(ユーザ提供情報)５０３、サービス提供を受けることによって建築設計者が取得した情報(ユーザ取得情報)５０４が記述されている。例えば、ある案件について建築設計者が１月１５日に後述のエレベータ機種・台数計画サービスの提供を受けた場合、その案件の検討済み情報５００は、サービス名「エレベータ機種機種・台数計画」５０１に対応付けられた各フィールド５０２,５０３,５０４に、建築設計者がサービス提供を受けた日付け「１月１５日」、建築設計者が提供した後述の建屋情報、建築設計者が取得したエレベータ機種・基本価格・台数計画案が記述される。
【００２１】
ＣＡＤシンボル管理データベース２１Ｄには、エレベータの用途ごとに、各種エレベータのＣＡＤシンボルが登録されている。各ＣＡＤシンボルには、それぞれ、構造上の特徴(サイズ、形状等)を表す構造情報、設置のために確保する必要があるスペース(以下、占有スペースと呼ぶ)を表す有効スペース情報、エレベータの仕様情報(カゴ容量、ドア開き方向等)、エレベータの構成機器の型式、付加情報等が含まれている。
【００２２】
意匠図管理データベース２１Ｅには、エレベータの内装デザインごとに、意匠図データの格納ファイル、パースデータの格納ファイル、意匠図データおよびパースデータの作成に用いた仕様データ(天井デザインパターン、材質データ、ドア開き方向、カゴ容量)が登録されている。
【００２３】
建築図管理データベース２１Ｆには、建築設計者から建築図データを受け付けた案件ごとに、顧客仕様管理データベース２１Ｃと共通の案件ＩＤ、建築図データが登録される。
【００２４】
据付図管理データベース２１Ｇには、据付図データの作成依頼を受け付けた案件ごとに、顧客仕様管理データベース２１Ｃと共通の案件ＩＤ、完成した据付図データの格納ファイルが登録される。
【００２５】
デザイン情報管理データベース２１Ｈには、建築設計者が特殊内装仕様を希望した案件について、顧客仕様管理データベース２１Ｃと共通の案件ＩＤ、意匠図作成のために建築設計者から提供されたデザイン情報ファイルおよびその関連情報、デザイン情報ファイルおよびその関連情報を利用して作成されたパースデータの格納ファイル名、建築設計者が希望した特殊内装仕様に割り当てられたオプション仕様データ、が登録される。ここで言うデザイン情報ファイルとは、建築設計者が希望する特殊内装デザインの画像データ等が格納されたデザイン電子ファイルのことである。
【００２６】
さて、複数のユーザ端末３０,４０のなかには、エレベータの据付け設計を行う設備設計者が使用するユーザ端末３０(以下、設備設計者用端末３０と呼ぶ)と、エレベータの意匠設計を行う意匠設計者が使用するユーザ端末４０(以下、意匠設計者用端末４０と呼ぶ)とが、少なくとも１台ずつ含まれている。
【００２７】
設備設計者用端末３０は、外部からの指示に応じてプログラムを実行可能な通常のハードウエア構成を有する情報処理装置であり、その内蔵ハードディスクには、標準プロダクトモデル対応のＣＡＤプログラム、エレベータの据付図データＢの作成を支援するエレベータ据付図生成支援プログラム、ＯＳ等がインストールされている。設備設計者用端末３０は、これらのプログラムおよびＣＰＵ等のハードウエアにより実現される機能構成として、(1)建築図データの検索をデータベースサーバ２０に要求することによって得られた建築図データＡから、エレベータの据付け構造を決定するために必要な構造特徴を抽出する建築データ読込み部３１、(2)建築データ読込み部３１が抽出した構造特徴に基づき干渉チェックを行う干渉チェック部３２、(3)建築データＡに変更が生じた場合に、変更前後の建築データの構造特徴の差分を抽出する仕様訂正管理部３３、(4)設備設計者が据付図を作成するための作図用エディタ(不図示)、等を有している。
【００２８】
さらに、この設備設計者用端末３０の内蔵ハードディスクには、構造特徴データベース３６が格納されている。この構造特徴データベース３６には、据付図の作図依頼があった案件ごとに、案件ＩＤ、昇降路へのエレベータ据付けに関連する３種類の建築要素(柱、壁、梁)のオブジェクトが登録される。
【００２９】
一方、意匠設計者用端末４０は、外部からの指示に応じてプログラムを実行可能な通常のハードウエア構成を有する情報処理装置であり、その内蔵ハードディスクには、標準プロダクトモデルのＣＡＤプログラム、エレベータの意匠図データを作成を支援するエレベータ意匠図作成支援プログラム、ＯＳ等がインストールされている。意匠設計者用端末４０は、これらのプログラムおよびＣＰＵ等のハードウエアによって実現される機能構成として、(1)依頼案件のデザイン情報ファイル等の検索をデータベースサーバ２０に要求する要求仕様読込部４１、(2)意匠設計者がエレベータ意匠図を作成するための作図用エディタ(不図示)、等を有している。
【００３０】
つぎに、以上説明したネットワークシステムにおいて実現されるエレベータ設計支援処理について、図６および他の図(図７〜図２６)により説明する。ここでは、サービスの提供を受けるべき建築設計者は、建築設計者用端末６０上でＣＡＤプログラムを起動し、それにより立ち上がったＣＡＤウィンドウ上でエレベータ付き建屋の建築設計を行っていることとする。
【００３１】
図６に示すように、本実施の形態に係るエレベータ設計支援処理は、建築設計者サイドから見ると、以下の５つの段階的な処理(第一段階Ｓ１０００、第二段階Ｓ２０００、第三段階Ｓ３０００、第四段階Ｓ４０００、第五段階Ｓ５０００)に分けられる。
【００３２】
(１)第一段階(Ｓ１０００)
図７に、この第一段階(Ｓ１０００)における処理のフローチャートを示す。
【００３３】
建屋には、その建屋内の交通需要に応じたエレベータが設置される必要がある。例えば、建屋の用途(オフィスビル、マンション等)によって、設置エレベータの最適な必要搬送能力は異なるし、同じ用途の建屋であっても、その建屋の高さによって、設置エレベータの最適な搬送速度は異なる。したがって、エレベータ付き建屋を建築設計している建築設計者は、前もって、そのエレベータ付き建屋の用途および居住人口に適したエレベータの機種(カゴ容量、搬送速度)および設置台数を知っておく必要がある。また、エレベータの価格には幅があるため、建築設計者は、建屋全体の予算との関係で、自己の建築設計中の建屋に適したエレベータの購入にかかる費用を、建築設計の初期段階からできるだけ正確に把握しておくことが望ましい。
【００３４】
そこで、建築設計者は、まず、建築設計者用端末６０上でブラウザ６１を起動し、エレベータ設計支援サイトのＷｅｂドキュメントのＵＲＬ(Uniform Resource Locaters)を入力する。これにより、そのＵＲＬの示すＷｅｂドキュメントの送信リクエストが、建築設計者用端末６０上のブラウザ６１からＷＷＷサーバ１０へ送信される。ＷＷＷサーバ１０上では、ｈｔｔｔｐｄが、このリクエストで指定されたＷｅｂドキュメントをドキュメントツリーから検索し、そのＷｅｂドキュメントを建築設計者用端末６０に返信する。これにより、建築設計者用端末６０のディスプレイ装置６３には、図８に示すエレベータ設計支援サイトのトップページ６００が表示される。このトップページ６００には、案件ＩＤを入力するための案件ＩＤ入力ボックス６０１、建築設計者に対する提供サービスのアンダーライン付き名称一覧６０２〜６０５が配置されている。
【００３５】
このトップページ６００上で、建築設計者が、まず、案件ＩＤ入力ボックス６０１に何も入力せずに、提供サービス名一覧から「機種・台数計画サービス」６０２を選択すると、エレベータ設計支援サイトの建屋情報入力ページが、建築設計者用端末６０のディスプレイ装置６３上で開かれる。
【００３６】
図９(ａ)に示すように、この建屋情報入力ページ６１０には、エレベータを設置する建屋に関する情報(建屋用途、フロアー数、居住人口：以下、これらをまとめて建屋情報と呼ぶ)を入力するための各種ツールが配置されている。具体的には、エレベータの設置建屋の用途を入力するためのビル用途入力ボックス６１１、エレベータの設置建屋のフロアー数を入力するためのビル階床数入力ボックス６１２、エレベータの設置建屋の各フロアーの居住人口を入力するための居住人口入力ボックス６１３、すべての入力ボックスのデータ設定を確定するためのＯＫボタン６１４、が配置されている。建築設計者が機種・台数計画サービスの提供を受けるには、これら各入力ボックス６１１,６１２,６１３に適当なデータをそれぞれ入力し、さらにＯＫボタン６１４をクリックする必要がある。ただし、各入力ボックス６１１,６１２,６１３には、それぞれ、入力データ候補が一覧表示されたプルダウンメニューを開くためのボタン６１１Ａ,６１２Ａ,６１３Ａが付属しているため、建築設計者は、各入力ボックス６１１,６１２,６１３に付属のボタン６１１Ａ,６１２Ａ,６１３Ａをクリックすることによって開かれたプルダウンメニューの一覧のなかから、各入力ボックスへの入力データとして適当な入力データ候補を選択するだけでよい。例えば、建屋用途入力ボックス６１１の付属ボタン６１１Ａがクリックされると、エレベータの設置建屋の標準的な用途(オフィスビル、官庁ビル、マンション等)が一覧表示されたプルダウンメニュー６１１ａが開かれる。建築設計者は、このプルダウンメニュー６１１ａの建屋用途一覧のなかから適当な建屋用途を１つ選択することによって、建屋用途入力ボックス６１１への入力データを決定すればよい。
【００３７】
建築設計者が、これら各入力ボックス６１１,６１２,６１３へのデータ入力を完了してから、さらにＯＫボタン６１４をクリックすると、各入力ボックス６１１,６１２,６１３内の設定データを含むデータ検索要求がＷＷＷサーバ１０へ送られる(Ｓ１００１)。
【００３８】
ＷＷＷサーバ１０の機種・台数計画依頼受付け部１１は、このデータ検索要求を受け付けると、そのなかから建屋情報(建屋用途、フロアー数、居住人口)を取り出し、この建屋情報を検索キーとしたデータベース検索をデータベースサーバ２０に要求する。この要求に応じて、データベースサーバ２０は、機種・台数計画・基本価格データベース２１Ａを検索し、検索キーの１つ(建屋用途)に対応付けられたエレベータ機種・台数計画・基本価格マップ(図２参照)のなかから、残り２つの検索キー(フロアー数および居住人口)に対応付けられたエレベータ機種・基本価格・台数計画情報を取得する。そして、このとき得られたエレベータ機種・基本価格・台数計画情報を返信する(Ｓ１００２)。
【００３９】
ＷＷＷサーバ１０の機種・台数計画依頼受付け部１１は、そのエレベータ機種・基本価格・台数計画情報を建築設計者用端末６０に返信する。これにより、建築設計者用端末６０のディスプレイ装置６３には、エレベータ設計支援サイトのエレベータ機種・台数計画案表示ページが開かれる。図９(ｂ)に示すように、このエレベータ機種・台数計画案表示ページ６２０上には、ＷＷＷサーバ１０からのエレベータ機種・基本価格・台数計画情報のうち、建築設計者指定の建屋用途と、エレベータの推奨カゴ容量と、エレベータの推奨搬送速度と、エレベータの推奨設置台数とが、エレベータ機種・台数計画案６２１として表示される(Ｓ１００３)。このエレベータ機種・台数計画案６２１を参照することによって、建築設計者は、自己の建築設計中の建屋に適したエレベータ機種・台数計画案を把握することができる。
【００４０】
また、このエレベータ機種・台数計画案表示ページ６２０上には、あわせて、エレベータ購入価格の見積り要求の送信を指示するための見積りボタン６２２、現在表示中のエレベータ機種・台数計画案等を保存するか否かを建築設計者に問うメッセージ６２４、メッセージ６２４に対する返答を受け付ける２つのアンダーライン付き文字「Ｙ」「Ｎ」６２３も表示されている。ここで、建築設計者は、以下に示すように、エレベータ購入価格の見積りを必要とする場合であれば、見積りボタン６２２をクリックし、エレベータ購入価格の見積りを必要としない場合であれば、２つのアンダーライン付き文字「Ｙ」「Ｎ」６２３のいずれか一方をクリックすればよい。
【００４１】
エレベータ購入価格の見積りを必要とする建築設計者が、ここで、エレベータ機種・台数計画案表示ページ６２０上の見積りボタン６２２をクリックすると(Ｓ１００４)、建屋情報を含む見積り要求が建築設計者用端末６０からＷＷＷサーバ１０に送信され、以下のエレベータ価格見積り処理(Ｓ１００５)が実行される。これにより、建築設計者は、エレベータに関する詳細な情報を入力せずに、自己の建築設計中の建屋に適したエレベータの購入価格の見積り額およびその内訳を知ることができる。
【００４２】
ＷＷＷサーバ１０の価格見積依頼受付部１６は、建築設計者用端末６０から見積り要求を受け付けると、そのなかから建屋情報(建屋の用途、フロアー数、居住人口)を取り出し、この建屋情報を検索キーとするデータベース検索をデータベースサーバ２０に要求する。この要求に応じて、データベースサーバ２０は、前述のＳ１００２と同様なデータベース検索処理によってエレベータ機種・基本価格・台数計画情報を取得し、そのエレベータ機種・基本価格・台数計画情報をＷＷＷサーバ１０に返信する。
【００４３】
ＷＷＷサーバ１０の価格見積依頼受付部１６は、各種建屋用途ごとに、それぞれ、仕様管理情報４００と同じデータ構造の仕様管理情報作成用構造体データを保持している。それらの構造体データに含まれている各仕様項目の仕様データおよび見積り価格のフィールドには、初期値として、対応する建屋用途の建屋に設置される標準的なエレベータの仕様の仕様データおよび見積り価格がそれぞれ記述されている。ＷＷＷサーバ１０の価格見積依頼受付部１６は、建屋情報に含まれている建屋用途に対応する仕様管理情報作成用構造体データに記述された仕様データのうち、空値以外のものを検索キーとするデータベース検索をデータベースサーバ２０に要求する。この要求に応じて、データベースサーバ２０は、各検索キー(仕様データ)に対応付けられたオプション見積り価格３０１をオプション価格データベース２１Ｂからそれぞれ取り出し、それらをＷＷＷサーバ１０に返信する。
【００４４】
このようにして建築設計者指定の建屋情報に応じたオプション仕様のオプション見積り価格およびエレベータ機種・基本価格・台数計画情報を取得すると、ＷＷＷサーバ１０の価格見積依頼受付部１６は、エレベータ機種・基本価格・台数計画情報に含まれていた基本価格にすべてのオプション見積り価格を加算し、この加算値を、エレベータ１台当たりの購入価格の見積り額とする。さらに、エレベータ機種・基本価格・台数計画情報に含まれていた設置台数と、エレベータ１台当たりの購入価格の見積り額との積を算出し、この算出結果を、設置台数分のエレベータの購入価格の見積り額とする。そして、ＷＷＷサーバ１０の価格見積依頼受付部１６は、エレベータ１台当たりの購入価格の見積り額と、設置台数分のエレベータの購入価格の見積り額とを建築設計者用端末６０に送信する。あわせて、エレベータ１台当たりの購入価格の見積り額の算出に用いた各オプション見積り価格およびその検索に用いた仕様データも、エレベータ１台当たりの購入価格の見積り額の内訳として建築設計者用端末６０に送信する。
【００４５】
これにより、建築設計者用端末６０のディスプレイ装置６３上には、エレベータ設計支援サイトの価格見積り額表示ページが開かれる。この価格見積り額表示ページ７４０上には、図１０に示すように、エレベータ１台当たりの購入価格の見積り額６４１とその見積り額の内訳６４２、設置台数分のエレベータの購入価格の見積り額６４３が表示されるとともに、ＯＫボタン６４４が配置されている。建築設計者が、この価格見積り額表示ページ６４０上で見積り額等を確認してから、さらにＯＫボタン６４４をクリックすると、建築設計者用端末６０のディスプレイ装置６３上には、再度、エレベータ機種・台数計画案表示ページ６２０が開かれる。
【００４６】
一方、エレベータ購入価格の見積りを必要としない建築設計者が、エレベータ機種・台数計画案表示ページ６２０上の見積りボタン６２２をクリックせずに(Ｓ１００４)、エレベータ機種・台数計画案表示ページ６２０上の２つのアンダーライン付き文字「Ｙ」「Ｎ」６２３のうちのいずれか一方の文字をクリックすると(Ｓ１００６)、以下に示すように、クリックした文字の種類に応じた処理が実行される。なお、すでに見積り額等を確認した建築設計者が、再表示されたエレベータ機種・台数計画案表示ページ６２０上で２つのアンダーライン付き文字「Ｙ」「Ｎ」６２３のうちのいずれか一方をクリックした場合にも(Ｓ１００６)、同様な処理が実行される。
【００４７】
エレベータ機種・台数計画案表示ページ６２０上の一方のアンダーライン付き文字「Ｎ」がクリックされると(Ｓ１００６)、再度、図８のトップページが建築設計者用端末６０のディスプレイ装置６３上で開かれ、それまで表示されていたエレベータ機種・台数計画案等の情報が建築設計者用端末６０上から失われる(Ｓ１００９)。したがって、表示中のエレベータ機種・台数計画案がその後の建築設計作業に不要であると判断した場合には、建築設計者は、ここで(Ｓ１００６)、エレベータ機種・台数計画案表示ページ６２０上のアンダーライン付き文字「Ｎ」をクリックすればよい。
【００４８】
これに対して、エレベータ機種・台数計画案表示ページ６２０上の他方のアンダーライン付き文字「Ｙ」がクリックされると(Ｓ１００６)、エレベータ機種・基本価格・台数計画案および建屋情報を含むデータ保存要求が建築設計者用端末６０からＷＷＷサーバ１０に送信され、現在表示中のエレベータ機種・基本価格・台数計画案および建屋用途を保存するための以下の処理(Ｓ１００７)が実行される。したがって、表示中のエレベータ機種・台数計画案等がその後の建築設計作業に必要と判断した場合には、建築設計者は、ここで(Ｓ１００６)、エレベータ機種・台数計画案表示ページ６２０上のアンダーライン付き文字「Ｙ」をクリックする必要がある。
【００４９】
ＷＷＷサーバ１０の機種・台数計画依頼受付け部１１は、エレベータ機種・基本価格・台数計画案および建屋情報を含むデータ保存要求を受け付けると、それに含まれていた建屋用途に対応する仕様管理情報作成用構造体データを、エレベータ台数分、仕様管理情報として含む総合仕様管理情報を作成する。そして、この総合仕様管理情報と、データ保存要求に含まれていた情報(エレベータ機種・基本価格・台数計画案、建屋情報)と、現在の日付とを含んだデータベース登録要求をデータベースサーバ２０に送信する。この要求に応じて、データベースサーバ２１は、それらの情報を顧客仕様管理データベース２１Ｃに新規登録する。これにより、総合仕様管理情報は、新規案件ＩＤに対応付けられた総合仕様管理情報として登録され、その他の情報(現在の日付、建屋情報、エレベータ機種・基本価格・台数計画案)は、新規案件ＩＤに対応付けられた検討済み情報５００に含まれる情報５０２,５０３,５０４として登録される(Ｓ１００７)。
【００５０】
顧客仕様管理データベース２１Ｃへの新規登録が終了すると、このとき登録した新規案件ＩＤが、ＷＷＷサーバ１０を介して、データベースサーバ２０から建築設計者用端末６０に返信される。これにより、建築設計者用端末６０のディスプレイ装置６３上では、図９(ｃ)に示すような、エレベータ設計支援サイトの案件ＩＤ確認ページ６３０が開かれる(Ｓ１００８)。この案件ＩＤ確認ページ６３０上には、建築設計者の依頼案件に割り当てられた新規案件ＩＤ６３１が表示されるとともに、ＯＫボタン６３２が配置されている。建築設計者が、新規案件ＩＤ６３１を確認したあとＯＫボタン６３２をクリックすると、建築設計者用端末６０のディスプレイ装置６３上でエレベータ設計支援サイトのトップページ６００が再度開かれるとともに、今回提供されたサービスのサービス名「機種・台数計画サービス」と案件ＩＤ６３１とが建築設計者用端末６０のブラウザ６１によって保存される。
【００５１】
このように、本実施の形態に係るエレベータ設計支援処理の第一段階によれば、建築設計者は、建屋の建築設計の初期段階で決定できる建屋情報(建屋の用途、建屋のフロアー数、各フロアーの居住人口)を入力すれば、エレベータに関する詳細な情報を入力しなくても、建築設計中の建屋の用途について標準的な内外装を備えたエレベータの購入価格を容易に知ることができる。すなわち、自己が建築設計中の建屋にエレベータを設置するかどうかを検討しているような、エレベータに関する詳細なイメージを持っていない段階であっても、建築設計者は、自己が建築設計中の建屋に設置するエレベータの購入価格として現実性のある額を把握することができる。このため、建屋の建築設計の初期段階であっても、自己が建築設計中の建屋の予算との兼ね合いで、エレベータを設置可能かどうかを検討することもできる。
【００５２】
以上においては、未定のオプション仕様項目に設定されるべき仕様を、建屋用途ごとに定めているが、必ずしも、このようにする必要はない。例えば、一連のオプション仕様項目に設定されるべき仕様を、エレベータタイプ(グレード、寒冷地向け、バリアフリー等)ごとにパッケージ仕様として定めておき、エレベータの仕様として建築設計者が指定したエレベータタイプのパッケージ仕様に含まれる仕様の価格を、オプション見積り価格データベースからそれぞれ取り出して、それらの各価格をエレベータ基本価格に加算するようにしてもよい。このようにする場合には、図３３(ａ)(ｂ)に示すように、エレベータタイプ名３３０１とパッケージ仕様３３０２との対応情報が登録されたテーブル３３００を、パッケージ仕様管理データベース２１Ｉとしてデータベースサーバ２０の外部記憶装置２１に格納しておけばよい。なお、エレベータタイプの指定は、建屋情報入力ページで建築設計者から受け付けるようにしてもよいし、別途設けたページで受け付けるようにしてもよい。
【００５３】
また、以上においては、建屋用途とフロアー数と居住人口とだけから、エレベータ１台当たりの本体価格が定まるようにしているが、さらに別の情報も加味して、エレベータ１台当たりの本体価格が定まるようにしてもよい。例えば、図３３に示すように、エレベータタイプごとにタイプ名とエレベータ１台当たりの本体価格とを対応付けた情報２０２Ａを、推奨エレベータ１台当たりの本体価格２０２の代わりにエレベータ機種・基本価格・台数計画マップに格納しておくことによって、エレベータの仕様として建築設計者が指定したエレベータタイプのエレベータ１台当たりの本体価格が各建屋用途のエレベータ機種・基本価格・台数計画マップから取得されるようにしてもよい。これにより、建築設計者が指定したエレベータタイプのエレベータ１台当たりの本体価格、すなわち、エレベータタイプの相違による価格差が誤差として含まれない本体価格を算出することができる。このため、建築設計者は、エレベータの購入価格をより正確に把握することができるようになる。
【００５４】
(２)第二段階(Ｓ２０００)
図１１に、この第二段階(Ｓ２０００)における処理のフローチャートを示す。
【００５５】
建築設計者は、エレベータ機種・台数計画案を決定した後、さらに建屋の建築設計を進め、エレベータの納まりを検討する段階にまできたら、再度、自己の建築設計者用端末６０とＷＷＷサーバ１０とのコネクションを確立して、自己の建築設計者用端末６０のディスプレイ装置６３上でエレベータ設計支援サイトのトップページ６００(図８参照)を開く。
【００５６】
前回のサーバアクセスにより得たエレベータ機種・台数計画案に基づき検討を進める建築設計者は、前回のサーバアクセス時に発行された案件ＩＤを案件ＩＤ入力ボックス６０１に入力してからリターンキーを押すと、トップページ６００上のテキストがそのスタイルを変化させる。具体的には、トップページ６００上の提供サービス名一覧のうち、入力案件ＩＤに対応する保存中のサービス名「エレベータ機種・台数計画サービス」６０２の次に表示されているサービス名、すなわち、建築設計者が次に提供を受けるべきサービスのサービス名「エレベータＣＡＤシンボル提供サービス」６０３が強調表示される。これにより、建築設計者は、前回のサーバアクセスから相当時間経過していても、今回のサーバアクセスで最初に受けるべきサービスを一見して把握することができる。
【００５７】
そのあと、建築設計者が、提供サービス「エレベータＣＡＤシンボル提供サービス」６０３を選択すると、案件ＩＤ入力ボックス６０１に入力された案件ＩＤを検索キーとするデータベース検索が、ＷＷＷサーバ１０を介してデータベースサーバ２０に要求される。この要求に応じて、データベースサーバ２０は、検索キー(案件ＩＤ)に対応付けられた検討済み情報５００を顧客仕様管理データベース２１Ｃから取り出し、それを返信する(Ｓ２００１)。
【００５８】
この返信データを受け付けた建築設計者用端末６０のディスプレイ装置６３上では、エレベータ設計支援サイトのエレベータ仕様入力ページが開かれる。図１２に示すように、このエレベータ仕様入力ページ６５０上には、返信データにユーザ提供情報として含まれていた建屋用途６５１Ａおよびフロア数６５１Ｂが表示されるとともに、設置台数分のエレベータのそれぞれについて、エレベータの用途を入力するための入力ボックス６５２、エレベータ本体の仕様データを設定するための仕様入力ボックスが配置される。ここでは、仕様入力ボックスの具体例として、ドア開き方向の入力を受け付けるためのドア開き方向入力ボックス６５３、カゴ容量の入力を受け付けるためのカゴ容量入力ボックス６５４、トランクを設置するか否かの別の入力を受け付けるためのトランク有無入力ボックス６５５、搬送速度の入力を受け付けるための搬送速度入力ボックス６５６、カウンターウエイトの位置の入力を受け付けるためのカウンターウエイト位置入力ボックス６５７を挙げてある。
【００５９】
建築設計者は、このエレベータ仕様入力ページ６５０上に配置された入力ボックス６５２,６５３,６５４,６５５,６５６,６５７にそれぞれ適当な仕様データを設定する必要がある。ただし、各エレベータの２つの入力ボックス６５４,６５７には、返信データのユーザ取得情報に含まれていたエレベータ機種・基本価格・台数計画案のカゴ容量および搬送速度がすでに設定されているため、ここでは、各エレベータ用の他の入力ボックス６５２,６５３,６５５,６５６に適当な仕様データを設定するだけでよい(Ｓ２００２)。
【００６０】
また、このエレベータ仕様入力ページ６５０上にはさらにシンボル表示ボタン６５８が配置されており、建築設計者が、各エレベータ用の入力ボックスへのデータ設定を終えてから、そのシンボル表示ボタン６５８をクリックすると、各設置エレベータの入力ボックス内の設定データを含むＣＡＤシンボル検索要求がＷＷＷサーバ１０に送られる。ＷＷＷサーバ１０のシンボル提供依頼受付け部１２は、このＣＡＤシンボル検索要求を受け付けると、それに含まれていた各エレベータについての設定データを検索キーとするデータベース検索をデータベースサーバ２０にそれぞれ要求する。これらの要求のそれぞれに応じて、データベースサーバ２０は、検索キーのうちの１つ(用途)に対応付けられているＣＡＤシンボルのうち、他の検索キー(ドア開き方向、カゴ容量、トランク設置の有無、搬送速度、カウンターウエイト位置)が仕様情報に合致するＣＡＤシンボルをＣＡＤシンボルデータベース２１Ｄから取りだし、それをＷＷＷサーバ１１に返信する(Ｓ２００３)。
【００６１】
ＷＷＷサーバ１０は、これらの返信データを受け付けると、それらに含まれていたＣＡＤシンボルを建築設計者用端末６０に送信する。これにより、建築設計者用端末６０のディスプレイ装置６３上には、エレベータ設計支援サイトのエレベータシンボル表示ページが開かれる(Ｓ２００４)。図１３に示すように、このエレベータシンボル表示ページ６６０上には、エレベータ仕様入力ページ６５０に表示されていた建屋用途６６６Ａおよびフロア数６６６Ｂとともに、建築設計者がエレベータ仕様入力ページ６５０上で各エレベータについて設定したデータ(エレベータ用途、ドア開き方向、カゴ容量、トランク有無、搬送速度、カウンターウエイト位置)６６２とが表示されている。さらに、これらの設定データ６６２によって検索された各エレベータのＣＡＤシンボル６６１、すなわち、建築設計者の要求仕様に合致した各エレベータの構造および有効スペースがパラメトリック表現で表示されている。建築設計者は、このＣＡＤシンボル６６１を、ドラッグ・アンド・ドロップで、ＣＡＤウィンドウ上の作成中の建築設計図に配置することによって、自己の要求仕様を満たすエレベータが周辺建築要素と干渉を起こすか否かを、一見して確認することができる。例えば、建築設計図上の周辺建築要素(柱、壁等)にＣＡＤシンボル６６１が重なり合えば、建築設計者は、自身の要求仕様を満たすエレベータが、建築設計図上の昇降路内に納まりきらないものであると判断し、作成中の建築設計図上の昇降路寸法を再検討する必要があることを認識することができる。
【００６２】
また、このエレベータシンボル表示ページ６６０上には、エレベータ購入価格の見積り要求の送信を指示するための見積りボタン６６３、現在表示中のＣＡＤシンボルおよび関連情報等を保存するか否かを建築設計者に問うメッセージ６６４、メッセージ６６４に対する返答を受け付ける２つのアンダーライン付き文字「Ｙ」「Ｎ」６６５が表示されている。建築設計者は、以下に示すように、表示中のエレベータの購入価格の見積りを必要とする場合であれば、見積りボタン６６３をクリックし、表示中のエレベータの購入価格の見積りを必要としない場合であれば、２つのアンダーライン付き文字「Ｙ」「Ｎ」６６５のいずれか一方をクリックすればよい。
【００６３】
表示中のエレベータの購入価格の見積りを必要とする建築設計者が、ここで、見積りボタン６６９をクリックすると(Ｓ２００５)、表示中の設定データ６６２とトップページ６００上で入力済みの案件ＩＤとを含む見積り要求が建築設計者用端末６０からＷＷＷサーバ１０に送信され、以下のエレベータ価格見積り処理(Ｓ２００６)が実行される。これにより、建築設計者は、エレベータについての要求仕様が完全には決定していない段階であっても、その時点までに固まっている要求仕様が反映されたエレベータの購入価格の見積り額およびその内訳を知ることができる。
【００６４】
建築設計者用端末６０から見積り要求を受け付けたＷＷＷサーバ１０の価格見積依頼受付部１６は、その見積り要求に含まれていた案件ＩＤを検索キーとするデータベース検索をデータベースサーバ２０に要求する。このデータベース要求に応じて、データベースサーバ２０は、顧客仕様管理データベース２１Ｃを検索し、検索キー(案件ＩＤ)に対応付けられた総合仕様管理情報を取得する。そして、データベースサーバ２０は、このとき得られた総合仕様管理情報をＷＷＷサーバ１０に返信する。
【００６５】
ＷＷＷサーバ１０の価格見積依頼受付部１６は、データベースサーバ２０からの返信データを受け付けると、その返信データに含まれていた総合仕様管理情報内の各エレベータの仕様管理情報４００をそれぞれ修正する。具体的には、データエレベータ仕様入力ページ６５０上で各エレベータについて設定したデータ(エレベータ用途、ドア開き方向、カゴ容量、トランク有無、搬送速度、カウンターウエイト位置)のうち、オプション仕様項目の仕様データに該当するものを、そのエレベータの仕様管理情報４００の所定のオプション仕様項目の仕様データ４０２に上書きする。例えば、トランクを設置するか否の別を表す仕様データが、オプション仕様項目「トランク」の仕様データに該当する場合であれば、各エレベータの仕様管理情報４００には、それぞれ、そのエレベータにトランクを設置するか否かを表す仕様データが、オプション仕様項目「トランク」の仕様データに上書きされる。
【００６６】
その後、ＷＷＷサーバ１０の価格見積依頼受付部１６は、各エレベータの仕様管理情報４００に記述されている仕様データのうち、空値以外のものを検索キーとするデータベース検索をデータベースサーバ２０に要求する。この要求に応じて、データベースサーバ２０は、各検索キーに対応付けられたオプション見積り価格３０１をオプション価格データベース２１Ｂからそれぞれ取り出し、それらをＷＷＷサーバ１０に返信する。
【００６７】
ＷＷＷサーバ１０の価格見積依頼受付部１６は、この返信データを受付けると、その返信データに含まれていたオプション見積り価格をエレベータごとに集計する。そして、検討済み情報５００に含まれていた基本価格を各集計値にそれぞれ加算し、それらの加算値を、エレベータ各機の購入価格の見積り額とする。さらに、エレベータ各機の購入価格の見積り額を集計し、その集計値を、設置台数分のエレベータの購入価格の見積り額とする。そして、ＷＷＷサーバ１０の価格見積依頼受付部１６は、エレベータ１台当たりの購入価格の見積り額と、設置台数分のエレベータの購入価格の見積り額とを建築設計者用端末６０に送信する。あわせて、エレベータ１台当たりの購入価格の見積り額の算出に用いた各オプション見積り価格およびその検索に用いた仕様データも、エレベータ１台当たりの購入価格の見積り額の内訳として建築設計者用端末６０に送信する。
【００６８】
これにより、建築設計者用端末６０のディスプレイ装置６３上には、図２０に示した価格見積り額表示ページ７００が開かれる(Ｓ２００６)。この価格見積り額表示ページ７００上には、各エレベータ１台当たりの購入価格の見積り額７０２とその見積り額の内訳７０３、設置台数分のエレベータの購入価格の見積り額７０１が表示されるとともに、ＯＫボタン７０４が配置されている。建築設計者が、この価格見積り額表示ページ７００上で見積り額等を確認してから、さらにＯＫボタン７０４をクリックすると、建築設計者用端末６０のディスプレイ装置６３上には、再度、エレベータシンボル表示ページ６６０が開かれる。
【００６９】
一方、エレベータ購入価格の見積りを必要としない建築設計者が、エレベータシンボル表示ページ６６０上の見積りボタン６６３をクリックせずに(Ｓ２００５)、エレベータシンボル表示ページ６６０上の２つのアンダーライン付き文字「Ｙ」「Ｎ」６６５のうちのいずれか一方の文字をクリックすると(Ｓ２００７)、以下に示すように、クリックした文字に応じた処理が実行される。なお、すでに見積り額等を確認した建築設計者が、再表示されたエレベータシンボル表示ページ６６０上の２つのアンダーライン付き文字「Ｙ」「Ｎ」６６５のうちのいずれか一方の文字をクリックした場合も、同様な処理が実行される。
【００７０】
エレベータシンボル表示ページ６６０上の一方のアンダーライン付き文字「Ｎ」がクリックされると(Ｓ２００７)、再度、トップページ６００が建築設計者用端末６０のディスプレイ装置６３上で開かれ、それまで表示されていたＣＡＤシンボルおよび設定データ等の情報が建築設計者用端末６０上から失われる(Ｓ２００９)。したがって、例えば、エレベータの購入価格の見積り額等の参照によって、エレベータ本体についての要求仕様を再検討する必要があると判断した場合等には、建築設計者は、ここで、エレベータシンボル表示ページ６６０上の一方のアンダーライン付き文字「Ｎ」をクリックすればよい。
【００７１】
これに対して、エレベータシンボル表示ページ６６０上の他方のアンダーライン付き文字「Ｙ」がクリックされると(Ｓ２００７)、トップページ６００で入力済みの案件ＩＤ、エレベータシンボル表示ページ６６０上に表示中のＣＡＤシンボルおよび設定データを含むデータ保存要求が建築設計者用端末６０からＷＷＷサーバ１０に送信され、そらの情報を保存するための以下の処理(Ｓ２００８)が実行される。したがって、表示中のＣＡＤシンボルがその後の建築設計作業に必要と判断した場合には、建築設計者は、ここで、エレベータシンボル表示ページ６６０上のアンダーライン付き文字「Ｙ」をクリックする必要がある。
【００７２】
ＷＷＷサーバ１０のシンボル提供依頼受付け部１２は、建築設計者用端末６０からデータ保存要求を受け付けると、それに含まれていた案件ＩＤを検索キーとするデータベース検索をデータベースサーバ２０に要求する。データベースサーバ２０は、この要求を受け付けると、検索キー(案件ＩＤ)に対応付けられた総合仕様管理情報を顧客仕様管理データベース２１Ｃから取り出す。そして、データベースサーバ２０は、このとき得られた総合仕様管理情報をＷＷＷサーバ１０に返信する。
【００７３】
つぎに、ＷＷＷサーバ１０のシンボル提供依頼受付け部１２は、データ保存要求に含まれていた各エレベータの設定データのうち、オプション仕様項目の仕様データに該当するものを検索キーとするデータベース検索をデータベースサーバ２０に要求する。この要求に応じて、データベースサーバ２０は、各検索キーに対応付けられたオプション見積り価格３０１をオプション価格データベース２１Ｂからそれぞれ取り出し、それらをＷＷＷサーバ１０に返信する。ＷＷＷサーバ１０のシンボル提供依頼受付け部１２は、この返信データを受け付けると、それに含まれていたオプション見積り価格と、その検索キーとして用いられた仕様データとによって、総合仕様管理情報の各仕様管理情報を修正する。具体的には、各エレベータごとに、それぞれ、オプション価格データベース２１Ｂから取り出されたオプション見積り価格およびその検索キーとして用いられた仕様データを、仕様管理情報４００の所定仕様項目の見積り価格４０３および仕様データ４０３に上書きする。
【００７４】
その後、ＷＷＷサーバ１０のシンボル提供依頼受付け部１２は、この総合仕様管理情報のデータベース登録をデータベースサーバ２０に要求する。この要求に応じたデータベースサーバ２０によって、顧客仕様管理データベース２１Ｃに登録されている総合仕様管理情報群のうち、データ保存要求に含まれていた案件ＩＤに対応する総合仕様管理情報が、新たな総合仕様管理情報で更新される。
【００７５】
また、ＷＷＷサーバ１０のシンボル提供依頼受付け部１２は、データ保存要求に含まれていた各エレベータの設定データおよびＣＡＤシンボル、現在の日付のデータベース登録をデータベースサーバ２０に要求する。これに応じて、データベースサーバ２０は、顧客仕様管理データベース２１Ｃに登録されている検討済み情報群のうち、データ保存要求に含まれていた案件ＩＤに対応する検討済み情報５００に、それらの情報を登録する。これにより、データ保存要求に含まれていた案件ＩＤに対応する検討済み情報５００は、サービス名「エレベータＣＡＤシンボル提供」５０１に対応付けられた各フィールド５０２,５０３,５０４に、サービス提供日、ユーザ提供情報、ユーザ取得情報として、現在の日付、各エレベータの設定データ(エレベータ用途、ドア開き方向、カゴ容量、トランク有無、搬送速度、カウンターウエイト位置)、各エレベータのＣＡＤシンボルが記述される。
【００７６】
このようにして顧客仕様管理データベース２１Ｃのデータ更新が終了すると、その旨のメッセージが、データベースサーバ２０から、ＷＷＷサーバ１１を介して建築設計者用端末６０に送信される。このメッセージを受け付けた建築設計者用端末６０側では、エレベータ設計支援サイトのトップページ(図８参照)がディスプレイ装置６３上で再度開かれるとともに、今回提供されたサービスのサービス名「エレベータＣＡＤシンボル提供サービス」が建築設計者用端末６０のブラウザ６１によって保存される。
【００７７】
このように、本実施の形態に係るエレベータ設計支援処理の第二段階によれば、建築設計者は、自己の建築設計中の建屋に設置するエレベータ本体の仕様が完全には決まっていない段階であっても、その時点までに決まっている要求仕様が反映された標準的なエレベータまたはエレベータ集合体の購入価格の見積り額およびその内訳を知ることができる。このため、建築設計者は、エレベータ本体について現時点までに決めてある要求仕様を、自己が建築設計中の建屋の予算との兼ね合いで変更する必要があるかどうかを検討することができる。その結果、エレベータの仕様が完全に決まってしまってから、その仕様を建屋全体の予算との関係で大幅に変更しなければならないことが判明するような事態の発生が防止される。
【００７８】
(３)第三段階(Ｓ３０００)
図１４に、この第三段階(Ｓ３０００)における処理のフローチャートを示す。
【００７９】
建築設計者は、その後の建築設計の過程において、設備設計者に据付図作成を依頼することができる段階にまできたら、再度、自己の建築設計者用端末６０とＷＷＷサーバ１０とのコネクションを確立し、自己の建築設計者用端末６０のディスプレイ装置６３上でエレベータ設計支援サイトのトップページ６００を開く。
【００８０】
前回のサーバアクセス時に保存しておいたＣＡＤシンボルを用いて建築図データを作成した建築設計者が、トップページ６００上の案件ＩＤ入力ボックス６０１に案件ＩＤを入力してからリターンキーを押すと、トップページ６００上のテキストがそのスタイルを変化させる。具体的には、トップページ６００上の提供サービス名一覧のうち、入力案件ＩＤに対応付けられた保存中のサービス名「エレベータＣＡＤシンボル提供サービス」６０３の次に表示されているサービス名、すなわち、建築設計者が次に提供を受けるべきサービスのサービス名「エレベータ据付図作図サービス」６０４が強調表示となる。これにより、建築設計者は、前回のサーバアクセスから相当時間経過していても、今回のサーバアクセスで最初に受けるべきサービスを一見して把握することができる。
【００８１】
ここで、建築設計者が、提供サービス「エレベータ据付図作図サービス」６０４を選択すると、案件ＩＤを含む検討済み情報検索要求が、ＷＷＷサーバ１０に送信される。ＷＷＷサーバ１０の据付図作図依頼受付け部１３は、この検討済み情報検索要求を受け付けると、それに含まれていた案件ＩＤを検索キーとするデータベース検索をデータベースサーバ２０に要求する。この要求に応じて、データベースサーバ２０は、検索キー(案件ＩＤ)に対応付けられた検討済み情報５００を顧客仕様管理データベース２１Ｃから取り出し、それを返信する(Ｓ３００１)。
【００８２】
この返信データを受け付けた建築設計者用端末６０には、エレベータ設計支援サイトの据付図作図依頼ページが開かれる。図１５に示すように、この据付図作図依頼ページ６７０には、案件ＩＤ６７１が表示されるほか、エレベータの設置台数を入力するためのエレベータ設置台数入力ボックス６７４、エレベータ設置建屋の用途を入力するための建屋用途入力ボックス６７２、エレベータ設置ビルのフロアー数を入力するためのビル階床数入力ボックス６７３、各エレベータの本体の仕様(カゴ容量、搬送速度、ドア開き方向、カウンターウエイト位置)を入力するための入力ボックス６７５、建築図データのファイル名を入力するための建築図データ入力ボックス６７６、据付図の希望納期(日付)を入力するための作図納期入力ボックス６７７、各入力ボックスの設定データの送信を指示するための送信ボタン６７８が配置されている。この据付図作図依頼ページ６７０上の各入力ボックス６７２〜６７７のデータ設定を行う必要があるが、この場合には、建築図データ入力ボックス６７６および作図納期入力ボックス６７７以外の入力ボックス６７２〜６７５には、すでにデフォルトデータ(返信データに含まれていた検討済み情報のユーザ提供情報)が設定されている。したがって、建築設計者は、建築図データ入力ボックス６７６および作図要期入力ボックス６７７にデータを設定するだけでよい。
【００８３】
さて、ここで、建築設計者が、建築図データ入力ボックス６７６および作図納期入力ボックス６７７にデータを設定してから、さらに送信ボタン６７８をクリックすると、表示中の案件ＩＤと、建築図データ入力ボックス６７６内のファイル名に該当する建築図データファイルと、その他の入力ボックス６７２,６７３,６７４,６７５,６７７内の設定データとを含む据付図作図要求がＷＷＷサーバ１０へ送信される(Ｓ３００２)。
【００８４】
ＷＷＷサーバ１０は、この据付図作図要求を受け付けると、それに含まれていた建築図データおよび案件ＩＤとのデータベース登録をデータベースサーバに要求する。これに応じて、データベースサーバ２０は、それら建築図データファイルと案件ＩＤとを対応付けて建築図管理データベース２１Ｆに登録し、ＷＷＷサーバ１０にデータベース登録終了を通知する(Ｓ３００３)。
【００８５】
ＷＷＷサーバ１０の据付図作図依頼受付け部１３は、この通知を受け取ると、建築データファイル名、案件ＩＤおよび納期の要否を通知する設備設計者宛て電子メールの配信をネットワーク上のメールサーバに要求する。設備設計者は、この電子メールを参照することによって、依頼案件の存在およびその納期等を知り、その後、適当な時期が到来したら、案件ＩＤを含む所定のコマンドを自己の設備設計者用端末３０に入力する。これにより、設備設計者用端末３０上で以下の処理が実行される。
【００８６】
まず、建築データ読込み部３１は、案件ＩＤを含むデータベース検索をデータベースサーバ２０に要求することによって、その案件ＩＤに対応付けられた建築図データを建築図管理データベース２１Ｆから取得する(Ｓ３００４)。
【００８７】
つぎに、建築データ読込み部３１は、この建築図データが表す建築図上に、１つのＣＡＤシンボルの位置を原点とし、かつ、そのＣＡＤシンボルの正面方向をＹ方向とする新たな３次元直交座標系を定義する。そして、昇降路内にでっぱる可能性のある３種類の建築要素(柱、壁、梁)、すなわち、各ＣＡＤシンボルの近傍に存在する３種類の建築要素(柱、壁、梁)のオブジェクトを建屋の各階ごとに抽出し、それらのオブジェクトを案件ＩＤとともに特徴構造データベース３６に登録する。また、建築データ読込み部３１は、このとき抽出された３種類の建築要素のオブジェクトのうち、各階の壁オブジェクトと原点のＣＡＤシンボルとの平行性をチェックし、原点のＣＡＤシンボルに対して各階の壁オブジェクトが傾いていたら、その傾きに応じた回転角だけ、建築図上の全オブジェクトを回転移動させる。また、原点のＣＡＤシンボルに対して他のＣＡＤシンボルが傾いていたら、その傾きに応じた回転角だけ、建築図上の全オブジェクトを回転移動させる。これにより、建築図上にドラッグ・アンド・ドロップでＣＡＤシンボルが配置されたことに起因する、建築図データの誤差が修正される(Ｓ３００５)。
【００８８】
つぎに、干渉チェック部３２が、特徴構造として抽出された各オブジェクトの座標に基づき、それらのオブジェクトが、各ＣＡＤシンボルの表す占有スペースに食い込んでいないかどうかを判断する(Ｓ３００６)。
【００８９】
ここで、いずれかのエレベータの占有スペースに食い込んだオブジェクトがあれば、干渉チェック部３２は、エレベータと周辺建築要素とが干渉を起こすと判断し、その旨を通知する建築設計者宛て電子メールの配信をネットワーク上のメールサーバに要求する。この電子メールの着信により、建築設計者は、エレベータと周辺建築要素との間に干渉が起こることを認識することができるため、ただちに、作成中の建築図データの変更の検討に入ることができる。そして、建築設計者が、自己のユーザ端末６０から設備設計者用端末３０へ修正後の建築図データを返信すると、建築データ読込み部３１が、修正後の建築図データから特徴構造を抽出し、仕様訂正管理部３３が、今回抽出された特徴構造と前回抽出された特徴構造(特徴構造データベース３６に格納されている特徴構造)との差分を抽出する(Ｓ３００７)。そして、今度は、この差分に該当するオブジェクトに関してのみ干渉の有無を再チェックする(Ｓ３００６)。
【００９０】
一方、いずれのエレベータの占有スペースにもオブジェクトが食い込んでいなければ、干渉チェック部３２は、エレベータと周辺建築要素とが干渉を起こさないと判断し、その旨を出力する。設備設計者は、この出力を確認してから、自己の設備設計者用端末３０上で据付図の作成を開始することによって、エレベータとその周辺建築要素とが適切な位置関係にあるか否かを確認する手間を省くことできる。したがって、設備設計者は、ＣＡＤシンボルが表すエレベータの取付構造の強度計算を行い、ＣＡＤシンボルが表すエレベータの各構成機器を建築図上に配置を行うだけで、建築設計者から依頼された据付図データを完成させることができる(Ｓ３００８)。
【００９１】
そして、建築設計者から依頼された据付図データを完成させたら、設備設計者は、その据付図データが格納されたファイルと案件ＩＤとを据付図管理データベース２１Ｇに登録するとともに、顧客仕様管理データベース２１Ｃに登録されているその案件の検討済み情報５００に、現在の日付け、据付図の作成に使用した建築図データファイル名、据付図データファイル名を、サービス名「エレベータ意匠図作図サービス」５０１に対応付けられた各フィールド５０２,５０３,５０４の情報として登録する必要がある(Ｓ３００９)。さらに、据付図完成を通知する電子メールを、据付図作図依頼元に宛てて送信する必要がある(Ｓ３０１０)。
【００９２】
そして、建築設計者は、電子メールの着信によって据付図データの完成を知ると、その据付図データをダウンロードするため、自己の建築設計者用端末６０上でブラウザを起動し、図１６(ａ)に示すような据付図ダウンロードページ６８０を自己の建築設計者用端末のディスプレイ装置６３上で開く。この据付図ダウンロードページ６８０上には、案件ＩＤを入力するための案件入力ボックス６８１、据付図データのダウンロードを指示するためのアンダーライン付き文字列６８２が配置されている。この据付図ダウンロードページ６８０上で、建築設計者が、案件ＩＤを案件入力ボックス６８１に入力し、さらにアンダーライン付き文字列６８２をクリックすると、今回提供されたサービスのサービス名「エレベータ据付図作図サービス」と案件入力ボックス６８１内の案件ＩＤとが建築設計者用端末６０のブラウザ６１によって保存されるとともに、案件入力ボックス６８１内の案件ＩＤを含む据付図検索要求がＷＷＷサーバ１０に送信される。ＷＷＷサーバ１０の据付図作図依頼受付け部１３は、この据付図検索要求を受け付けると、それに含まれていた案件ＩＤを検索キーとするデータベース検索をデータベースサーバ２０に要求する。これに応じて、データベースサーバ２０は、その案件ＩＤに対応付けられた据付図データファイルを据付図管理データベース２１Ｇから取りだす。そして、この据付図データファイルが建築設計者用端末６０にダウンロードされる。これにより、建築設計者は、自己の要求仕様が反映された１台または複数台のエレベータを建屋に適切に据え付けるための据付図を得ることができる。
【００９３】
なお、この第三段階の処理においては、新たな要求仕様データを建築設計者から受け付けていないため、第二段階における見積り額に上乗せされる費用が発生しないと仮定して、エレベータ購入価格を新たに見積っていない。しかし、実際には、据付け図を作成する段階で施工費用等が決定され、エレベータの購入価格の見積り額が変わってくることもある。したがって、図１６(ｂ)に示すように、据付図ダウンロードページ６８０に見積りボタン６８２を設けておき、この第三段階においても、見積りボタンが建築設計者に選択されたら、第二段階で算出された見積り額を施工費用額等に応じて修正し、その修正後の額をエレベータの購入価格の見積り額として建築設計者に提示するようにしてもよい。
【００９４】
(４)第四段階(Ｓ４０００)
図１７に、この第四段階(Ｓ４０００)における処理のフローチャートを示す。
【００９５】
建築設計者は、据付図データが完成すると、今度は、エレベータの内装仕様を検討する必要がある。この段階にまできたら、再度、自己の建築設計者用端末６０とＷＷＷサーバ１０とのコネクションを確立し、自己の建築設計者用端末６０のディスプレイ装置６３上でエレベータ設計支援サイトのトップページ６００を開く。
【００９６】
設備設計者用端末３０で作成された据付図データを入手した建築設計者が、トップページ６００上の案件ＩＤ入力ボックス６０１に案件ＩＤを入力してからリターンキーが押すと、トップページ６００上のテキストがそのスタイルを変化させる。具体的には、トップページ６００上の提供サービス名一覧のうち、入力案件ＩＤに対応付けられている保存中のサービス名「エレベータ据付図作図サービス」６０４の次に表示されているサービス名、すなわち、建築設計者が次に提供を受けるべきサービスのサービス名「エレベータ意匠図作図サービス」６０５が強調表示となる。これにより、建築設計者は、今回のサーバアクセスで最初に受けるべきサービスを容易に把握することができる。
【００９７】
ここで、建築設計者が、提供サービス一覧から、希望の提供サービス「エレベータ意匠図作図サービス」６０５を選択すると、トップページ６００上で入力された案件ＩＤを含む検索要求が、ＷＷＷサーバ１０を介してデータベースサーバ２０に送られる。この要求に応じて、データベースサーバ２０は、検索キー(案件ＩＤ)に対応付けられた検討済み情報５００を顧客仕様管理データベース２１Ｃから取り出し、それを返信する(Ｓ４００１)。
【００９８】
この返信データを受け付けた建築設計者用端末６０のディスプレイ装置１３０には、エレベータ設計支援サイトのエレベータ意匠仕様検討ページが開かれる。図１８に示すように、この意匠仕様検討ページ６９０上には、トップページ６００で入力された案件ＩＤ６９１Ａ、検討済み情報のうちの所定の情報(ここでは、建屋用途６９１Ｂ、建屋のフロア数６９１Ｃ、エレベータ１号機についての既定の仕様データ６９１Ｄ)が表示されるほか、エレベータ１号機の内装仕様データを設定するためのツール、例えば、エレベータの天井デザインタイプを選択するためのアイコン群６９２、エレベータの側板材質を選択するためのリストボックス６９３、エレベータの床材質を選択するためのリストボックス６９４、ハンドレールの取付け有無および材質を選択するための２つのチェックボタン６９５Ａおよびリストボックス６９５Ｂ、次のエレベータの内装仕様データの設定処理に進むためのボタン６９６が配置されている。なお、このエレベータ意匠仕様検討ページ６９０上には、エレベータ購入価格の見積り要求の送信を指示するための見積りボタン６９７、各エレベータの内装仕様データ等を保存するか否かを建築設計者に問うメッセージ、メッセージに対する返答を受け付ける２つのアンダーライン付き文字「Ｙ」「Ｎ」６９８も配置されているが、この段階においては、これらは非アクティブ状態になっている。
【００９９】
建築設計者が、このエレベータ意匠仕様検討ページ６９０上で、エレベータ１号機の内装仕様データの設定を行ってからボタン６９６をクリックすると、エレベータ１号機についての既定の仕様データ６９１Ｄの代わりに、エレベータ２号機についての既定の仕様データが表示され、それまでエレベータ１号機の内装仕様データを設定するためのものであったツール６９２,６９３,６９４,６９５Ａ,６９５Ｂ,６９６が、エレベータ２号機の内装仕様データを設定するためのツールとなる。このようにして、建築設計者が、各エレベータの内装仕様データを順次設定すると(Ｓ４００２)、いずれかのエレベータの内装仕様データのなかに、特殊天井デザインタイプの指定または特殊材質の指定が含まれているか否かが判断される(Ｓ４００３)。
【０１００】
その結果、特殊天井デザインタイプおよび特殊材質のうちの少なくともいずれか一方の指定が含まれていれば、その後の処理が、後述の第五段階(Ｓ５０００)に移行する。
【０１０１】
一方、特殊天井デザインタイプおよび特殊材質のいずれの指定も含まれていなければ、各エレベータのカゴ容量と、各エレベータのドア開き方向と、各エレベータの内装仕様データ(天井デザインタイプ名、材質データ、ハンドレール取付の有無等)とを含む検索要求が建築設計者端末６０からＷＷＷサーバ１０に送信される。なお、設置エレベータが１機だけである場合には、建築設計者が、エレベータ意匠仕様検討ページ６９０上で、エレベータ１号機の内装仕様データの設定を行ってからボタン６９６をクリックすると、エレベータ１号機についての既定の仕様データ６９１Ｄ等の表示は変化せず、ただちにエレベータ１号機について設定された内装仕様データ等を含む検索要求が建築設計者端末６０からＷＷＷサーバ１０に送信される。
【０１０２】
ＷＷＷサーバ１０の意匠図作図依頼受付け部１５は、この検索要求を受け付けると、各エレベータごとに、カゴ容量、ドア開き方向、内装仕様データ(材質データ、天井デザインタイプ名、ハンドレール取付の有無等)を検索キーとするデータベース検索をデータベースサーバ２０に要求する。この要求を受け付けたデータベースサーバ２０は、その要求に含まれているデータ(カゴ容量、ドア開き方向、内装仕様データ)に対応付けられたパースデータファイルを意匠図管理データベース２１Ｅから取り出し、それらを返信する(Ｓ４００４)。
【０１０３】
これにより、建築設計者用端末６０のディスプレイ装置６３上に開かれていたエレベータ意匠仕様検討ページ６９０上には、図１９に示すように、エレベータ１号機についての既定の仕様データ７９１Ｄが再表示されるほか、返信データに含まれていたエレベータ１号機のパースデータ６９９がグラフィカルに表示される。建築設計者が、このエレベータ意匠仕様検討ページ６９０上でボタン６９６をクリックするごとに、表示中のパースデータ６９９等に代えて、つぎのエレベータのパースデータ６９９等が表示される。そして、最後のエレベータのパースデータ６９９等が表示されると、見積りボタン６９７および２つのアンダーライン付き文字「Ｙ」「Ｎ」６９８がアクティブ状態となる(Ｓ４００５)。なお、設置エレベータが１機だけであれば、そのエレベータのパースデータ６９９が表示されたときに、すでに、見積りボタン７９７および２つのアンダーライン付き文字「Ｙ」「Ｎ」７９８がアクティブ状態となっている。
【０１０４】
ここで、建築設計者は、以下に示すように、エレベータ購入価格の見積りを必要とする場合であれば、見積りボタン６９７をクリックし、エレベータ購入価格の見積りを必要としない場合であれば、２つのアンダーライン付き文字「Ｙ」「Ｎ」６９８のいずれか一方をクリックすればよい。
【０１０５】
エレベータ購入価格の見積りを必要とする建築設計者が、エレベータ意匠仕様検討ページ６９０上の見積りボタン６９７をクリックすると(Ｓ４００６)、トップページ６００で入力済みの案件ＩＤと、エレベータ意匠仕様検討ページ６９０上で設定した各エレベータの内装仕様データとを含む見積り要求が建築設計者用端末６０からＷＷＷサーバ１０に送信され、以下のエレベータ価格見積り処理(Ｓ４００７)が実行される。これにより、建築設計者は、自己の要求仕様を満たす内装を有するエレベータの購入価格の見積り額およびその内訳を知ることができる。
【０１０６】
ＷＷＷサーバ１０の価格見積依頼受付部１６は、建築設計者用端末６０から見積り要求を受け付けると、それに含まれていた案件ＩＤを検索キーとするデータベース検索をデータベースサーバ２０に要求する。この要求に応じて、データベースサーバ２０は、検索キー(案件ＩＤ)に対応付けられた総合仕様管理情報および検討済み情報５００を顧客仕様管理データベース２１Ｃから取り出して、それらを返信する。
【０１０７】
ＷＷＷサーバ１０の価格見積依頼受付部１６は、データベースサーバ２０からの返信データを受け付けると、その返信データに含まれていた総合仕様管理情報内の各エレベータの仕様管理情報４００をそれぞれ修正する。具体的には、エレベータ意匠仕様検討ページ６９０上で各エレベータについて設定した内装仕様データを、そのエレベータの仕様管理情報４００の所定のオプション仕様項目の仕様データ４０２に上書きする。例えば、各エレベータの仕様管理情報４００のオプション仕様項目「床材」の仕様データ４０２には、それぞれ、建築設計者がそのエレベータの床材質について選択した仕様データを上書きする。
【０１０８】
その後、ＷＷＷサーバ１０の価格見積依頼受付部１６は、各エレベータの仕様管理情報４００に記述されている仕様データのうち、空値以外のものを検索キーとするデータベース検索をデータベースサーバ２０に要求する。この要求に応じて、データベースサーバ２０は、各検索キーに対応付けられたオプション見積り価格３０１をオプション価格データベース２１Ｂからそれぞれ取り出し、それらをＷＷＷサーバ１０に返信する。
【０１０９】
ＷＷＷサーバ１０の価格見積依頼受付部１６は、この返信データを受付けると、その返信データに含まれていたオプション見積り価格をエレベータごとに集計する。そして、検討済み情報５００に含まれていた基本価格を各集計値にそれぞれ加算し、それらの加算値を、エレベータ各機の購入価格の見積り額とする。さらに、エレベータ各機の購入価格の見積り額を集計し、その集計値を、設置台数分のエレベータの購入価格の見積り額とする。そして、エレベータ１台当たりの購入価格の見積り額と、設置台数分のエレベータの購入価格の見積り額とを建築設計者用端末６０に送信する。あわせて、エレベータ１台当たりの購入価格の見積り額の算出に用いた各オプション見積り価格およびその検索に用いた仕様データも、エレベータ１台当たりの購入価格の見積り額の内訳として建築設計者用端末６０に送信する。
【０１１０】
これにより、建築設計者用端末６０のディスプレイ装置６３上には、図２０に示した見積り額表示ページ７００が開かれる。この価格見積り表示ページ７００上には、前述したように、設置台数分のエレベータの購入価格の見積り額７０１が表示されるとともに、エレベータ１台当たりの価格の見積り額７０２およびその内訳７０３が各エレベータごとに表示される。建築設計者が、この価格見積り表示ページ７００上で、見積り額等を確認してからＯＫボタン７０４をクリックすると、建築設計者用端末６０のディスプレイ装置６３上には、再度、エレベータエレベータ意匠仕様検討ページ６９０が開かれる。
【０１１１】
一方、エレベータ購入価格の見積りを必要としない建築設計者が、エレベータ意匠仕様検討ページ６９０上の見積りボタン６９７をクリックせずに(Ｓ４００６)、エレベータ意匠仕様検討ページ６９０上の２つのアンダーライン付き文字「Ｙ」「Ｎ」６９８のうちのいずれか一方の文字をクリックすると(Ｓ４００８)、以下に示すように、クリックした文字に応じた処理が実行される。なお、すでに見積り額等を確認した建築設計者が、再表示されたエレベータ意匠仕様検討ページ６９０上の２つのアンダーライン付き文字「Ｙ」「Ｎ」６９８のうちのいずれか一方の文字をクリックした場合も、同様な処理が実行される。
【０１１２】
エレベータ意匠仕様検討ページ６９０上の一方のアンダーライン付き文字「Ｎ」がクリックされると(Ｓ４００８)、再度、トップページ６００が建築設計者用端末６０のディスプレイ装置６３上で開かれ、それまで表示されていたエレベータパースおよび内装仕様データ等の情報が建築設計者用端末６０上から失われる(Ｓ４０１０)。したがって、例えば、エレベータの購入価格の見積り額等の参照によって、各エレベータの内装についての要求仕様を再検討する必要があると判断した場合等には、建築設計者は、ここで(Ｓ４００８)、エレベータ意匠仕様検討ページ６９０上の一方のアンダーライン付き文字「Ｎ」をクリックすればよい。
【０１１３】
これに対して、エレベータ意匠仕様検討ページ６６０上の他方のアンダーライン付き文字「Ｙ」がクリックされると(Ｓ４００８)、トップページ６００で入力済みの案件ＩＤと、各エレベータのパースデータファイル名と、各エレベータの内装仕様データとを含むデータ保存要求が建築設計者用端末６０からＷＷＷサーバ１０に送信され、それらの情報を保存するための以下の処理(Ｓ４００９)が実行される。したがって、ここで(Ｓ４００８)、表示中の各内装仕様データがその後の建築設計作業に必要と判断した場合には、建築設計者は、エレベータ意匠仕様検討ページ６９０上のアンダーライン付き文字「Ｙ」をクリックする必要がある。
【０１１４】
ＷＷＷサーバ１０の意匠図作図依頼受付け部１５は、建築設計者用端末６０からデータ保存要求を受け付けると、それに含まれていた案件ＩＤを検索キーとするデータベース検索をデータベースサーバ２０に要求する。データベースサーバ２０は、この要求を受け付けると、検索キー(案件ＩＤ)に対応付けられた総合仕様管理情報を顧客仕様管理データベース２１Ｃから取り出す。そして、データベースサーバ２０は、このとき得られた総合仕様管理情報をＷＷＷサーバ１０に返信する。
【０１１５】
つぎに、ＷＷＷサーバ１０の意匠図作図依頼受付け部１５は、データ保存要求に含まれていた各内装仕様データ(側板材質データ、床材質データ、天井デザインタイプ名、ハンドレール取付の有無等)を検索キーとするデータベース検索をデータベースサーバ２０に要求する。この要求に応じて、データベースサーバ２０は、各検索キー(内装仕様データ)に対応付けられたオプション見積り価格３０１をオプション価格データベース２１Ｂからそれぞれ取り出し、それらをＷＷＷサーバ１０に返信する。ＷＷＷサーバ１０の意匠図作図依頼受付け部１５は、この返信データを受け付けると、それに含まれていたオプション見積り価格と、その検索キーとして用いられた内装仕様データとによって、総合仕様管理情報の各仕様管理情報４００を修正する。具体的には、各エレベータごとに、それぞれ、オプション価格データベース２１Ｂから取り出されたオプション見積り価格およびその検索キーとして用いられた内装仕様データを、仕様管理情報４００の所定仕様項目の見積り価格４０３および仕様データ４０３に上書きする。
【０１１６】
その後、ＷＷＷサーバ１０の意匠図作図依頼受付け部１５は、この総合仕様管理情報のデータベース登録をデータベースサーバ２０に要求する。これに応じて、データベースサーバ２０は、顧客仕様管理データベース２１Ｃに登録されている総合仕様管理情報群のうち、データ保存要求に含まれていた案件ＩＤに対応する総合仕様管理情報を、新たな総合仕様管理情報で更新する。
【０１１７】
また、ＷＷＷサーバ１０の意匠図作図依頼受付け部１５は、データ保存要求に含まれていた各エレベータの情報(パースデータファイル名、内装仕様データ)と現在の日付とのデータベース登録をデータベースサーバ２０に要求する。これに応じて、データベースサーバ２０は、顧客仕様管理データベース２１Ｃに登録されている検討済み情報群のうち、データ保存要求に含まれていた案件ＩＤに対応する検討済み情報５００に、それらの情報を登録する。これにより、データ保存要求に含まれていた案件ＩＤに対応する検討済み情報５００には、サービス名「エレベータ意匠図作図サービス」５０１に対応付けられた各フィールドに、現在の日付、各エレベータの内装仕様データ(天井デザインタイプ名、材質データ、ハンドレール取付の有無等)、各エレベータのパースデータファイル名が、サービス提供日５０２、ユーザ提供情報５０３、ユーザ取得情報５０４として記述される。
【０１１８】
このようにして顧客仕様管理データベース２１Ｃのデータ更新が終了すると、その旨のメッセージが、データベースサーバ２０から、ＷＷＷサーバ１１を介して建築設計者用端末６０に送信される。このメッセージを受け付けた建築設計者用端末６０側では、図１６に示した据付図ダウンロードページとほぼ同様なレイアウトの意匠図ダウンロード画面が開かれる。建築設計者が、この意匠図ダウンロード画面上において、案件ＩＤ入力ボックスに案件ＩＤを入力してから、据付図データのダウンロードを指示するためのアンダーライン付き文字列をクリックすると、案件ＩＤを含む意匠図検索要求がＷＷＷサーバ１０に送信される。ＷＷＷサーバ１０の意匠図作図依頼受付け部１５は、この要求を受け付けると、それに含まれていた案件ＩＤを検索キーとするデータベース検索をデータベースサーバ２０に要求する。これに応じて、データベースサーバ２０は、その案件ＩＤに対応付けられた検討済み情報５００を顧客仕様管理データベース２１Ｃから取り出し、それを、ＷＷＷサーバ１０に送信する。
【０１１９】
ＷＷＷサーバ１０の意匠図作図依頼受付け部１５は、この返信データを受け付けると、そのなかに含まれている検討済み情報５００のユーザ取得情報群のうち、サービス名「エレベータ意匠図作図サービス」に対応付けられているユーザ取得情報５０４を返信データから取り出す。そして、このユーザ取得情報５０４に含まれている各パースデータファイル名を検索キーとするデータベース検索をデータベースサーバ２０に要求する。これに応じて、データベースサーバ２０は、各検索キー(パースデータファイル名)に該当するパースデータに対応付けられた意匠図データファイルを意匠図管理データベース２１Ｅから取り出す。これらの意匠図データファイルが、建築設計者用端末６０にダウンロードされる。これにより、建築設計者は、１台または複数台のエレベータの内装に自己の要求仕様を反映させるための意匠図を得ることができる。
【０１２０】
このように、本実施の形態に係るエレベータ設計支援処理の第四段階によれば、建築設計者は、自己の建築設計中の建屋に設置するエレベータの内装についての要求仕様が決めれば、その要求仕様が内装に反映されたエレベータまたはエレベータ集合体の見積り額およびその内訳を知ることができる。すなわち、建築設計者は、現在抱いている内装イメージをそのまま採用した場合に、エレベータまたはエレベータ集合体の購入価格がどの程度の額になるのかを知ることができる。このため、建築設計者は、エレベータの内装について現時点までに決めてある要求仕様を、自己が建築設計中の建屋の予算との兼ね合いで変更する最終必要があるかどうかを検討することができる。その検討結果に応じて、エレベータの内装仕様を調整することができるため、実際のエレベータ購入価格が大幅な予算オーバーとなる事態の発生が防止される。
【０１２１】
なお、ここでは、エレベータ意匠仕様検討ページ６９０において、エレベータの意匠に関して建築設計者が定める仕様を内装仕様だけとしたが、各フロアのエレベータ出入口の意匠仕様もエレベータ意匠仕様検討ページ６９０でそれぞれ定めることができるようにしてもよい。このようにする場合には、各フロアのエレベータ出入口に、建築設計者指定の意匠仕様を施すためのオプション見積り価格も、エレベータ各号機の購入価格の見積り価格に加える必要がある。
【０１２２】
(５)第五段階(Ｓ５０００)
図２１に、この第五段階(Ｓ５０００)の前半における処理のフローチャート示す。
【０１２３】
前述の第四段階のＳ４００３において、いずれかのエレベータの内装仕様データのなかに、特殊天井デザインタイプおよび特殊材料のうちのいずれか一方の指定が含まれていた場合、建築設計者用端末６０では、エレベータ意匠仕様検討ページ６９０上で設定された内装仕様データが、ブラウザ６１によって、提供中のサービス名「エレベータ意匠図作図サービス」と案件ＩＤとに対応付けて保存される。そして、ディスプレイ装置６３には、エレベータ設計支援サイトの特殊意匠図作図依頼ページが開かれる。図２２に示すように、この特殊意匠図作図依頼ページ７１０上には、内装仕様データに特殊天井デザインタイプおよび特殊材質のうちの少なくとも一方の指定が含まれていたエレベータについての既定データの確認情報７１１が表示され、さらに、この確認情報７１１のうち、特殊指定に関する情報２４１ａの近傍には、ファイル名入力ボックス７１３が配置される。このファイル名入力ボックス７１３には、建築設計者が適当な描画ツールで作成した画像データ等が格納されたデザイン情報ファイルのファイル名が入力される。なお、図２２には、エレベータ号１機の内装仕様データに特殊天井デザインタイプ名が含まれていた場合に表示される特殊意匠図作図依頼ページ７１０上のレイアウトが示してある。
【０１２４】
建築設計者は、デザイン情報ファイルの電子ファイル名を、この特殊意匠図作図依頼ページ７１０上のファイル名入力ボックス７１３に入力する必要がある。例えば、図２３に示すような特殊天井デザインをエレベータ１号機に希望している場合であれば、そのデザインの画像データおよびそのデザインの各部の材質データ等が格納されたデザイン情報ファイルのファイル名を、天井デザインタイプに関する表示情報の近傍に配置された入力ボックスに入力すればよい。
【０１２５】
また、この特殊意匠図作図依頼ページ７１０上には、意匠図の希望納期(日付)を入力するための作図納期入力ボックス７１４が配置されているため、建築設計者は、作図納期入力ボックス７１４に適当なデータを入力してから、送信ボタン７１５をクリックする必要がある。
【０１２６】
さて、建築設計者が、この特殊意匠図作図依頼ページ７１０上で、各入力ボックス７１３,７１４にそれぞれ適当なデータを入力してから、送信ボタン７１５をクリックすると、確認情報７１１と各入力ボックス７１３,７１４内の設定データと案件ＩＤとを含むデータ保存要求がＷＷＷサーバ１０へ送信される(Ｓ５００１)。
【０１２７】
ＷＷＷサーバ１０のデザインイメージ生成依頼受付け部１４は、このデータ保存要求を受け付けると、それに含まれていたファイル名のデザイン情報ファイルをアップロードする。そして、このデザイン情報ファイルと、データ保存要求に含まれていた確認情報と、案件ＩＤとを含んだデータベース登録要求をデータベースサーバ２０に送信する。データベースサーバ２０は、この要求を受け付けると、それに含まれていた情報をデザイン情報管理データベース２１Ｈに登録する。その後、ＷＷＷサーバ１０にデータベース登録終了を通知する(Ｓ５００２)。
【０１２８】
ＷＷＷサーバ１０のデザインイメージ生成依頼受付け部１４は、この通知を受け取ると、案件ＩＤおよび納期を通知する意匠設計者宛て電子メールの配信をネットワーク上のメールサーバに要求する。意匠設計者は、この電子メールの内容を参照することによって、依頼案件の存在およびその納期等を知り、その後、適当な時期が到来したら、案件ＩＤを含む所定のコマンドを自己の意匠設計者用端末４０に入力する。これ応じて、意匠設計者用端末４０の要求仕様データ読込み部４１が、案件ＩＤを含むデータベース検索をデータベースサーバ２０に要求し、その案件ＩＤに対応付けられたデザイン情報ファイルおよび確認情報をデザイン情報管理データベース２１Ｈから取得する。意匠設計者は、このとき得られたデザイン情報ファイルおよび確認情報に基づき、エレベータの内装構造を決定する。そして、その決定結果に基づき、エレベータの意匠図データおよびパースデータを作成するとともに、デザイン情報ファイルに含まれていた画像が表すデザインを実現するために必要な費用を見積もる(Ｓ５００４)。
【０１２９】
意匠設計者は、これらの処理を終えたら、デザイン情報ファイルに含まれていた画像が表すデザインを実現するために必要な費用の見積り額(オプション見積り価格)と、所定の規則にしたがって定めた新規なオプション仕様データとを対応付けて、オプション価格データベース２１Ｂに登録する。また、意匠設計者は、完成した意匠図データおよびパースデータを、所定の規則にしたがって定めた新規な名前の電子ファイルにそれぞれ格納し、それらのファイルを内装仕様データとともに意匠図管理データベース２１Ｅに登録する。さらに、意匠設計者は、特殊内装仕様が指定されたエレベータについて作成したパースデータのファイル名、エレベータの特殊内装仕様に関連して登録したオプション仕様データを、依頼案件ＩＤと同じ既登録案件ＩＤに対応付けて、デザイン情報管理データベース２１Ｈに登録する。最後に、依頼案件の意匠図データの完成をＷＷＷサーバ１０に通知する(Ｓ５００５)。
【０１３０】
図２４および図２５に、その後の処理のフローチャート、すなわち、第五段階における後半の処理のフローチャートを示す。
【０１３１】
ＷＷＷサーバ１０のデザインイメージ生成依頼受付け部１４は、意匠設計者からの通知を受け取ると、意匠図の完成を通知する建築設計者宛て電子メールの配信をネットワーク上のメールサーバに要求する。建築設計者は、この電子メールの着信によってエレベータ意匠図データ等の完成を知ってから、再度、エレベータ設計支援サイトのエレベータ意匠仕様検討ページ６９０を開くと、その上の各ツール６９２,６９３,６９４,６９５Ａ,６９５Ｂは、案件ＩＤと提供中のサービス名「エレベータ意匠作図サービス」とに対応して保存されたエレベータ１号機の内装仕様データが設定されたときの状態となっている。すなわち、第四段階のＳ４００２において、建築設計者が、エレベータ１号機の内装仕様データを設定したときの状態が再現されている。そして、ボタン６９６をクリックすると、その上の各ツール６９２,６９３,６９４,６９５Ａ,６９５Ｂが、今度は、案件ＩＤおよび提供中のサービス名「エレベータ意匠作図サービス」に対応付けて保存されたエレベータ２号機の内装仕様データが設定されたときの状態となる。すなわち、第四段階のＳ４００２において、建築設計者が、エレベータ２号機の内装仕様データを設定したときの状態が再現される。建築設計者が、すべてのエレベータの内装仕様データを確認し終わると、案件ＩＤ、各エレベータのカゴ容量と、各エレベータのドア開き方向と、各エレベータの内装仕様データとを含む検索要求が建築設計者端末６０からＷＷＷサーバ１０に送信される(Ｓ５００６)。
【０１３２】
この検索要求を受け付けたＷＷＷサーバ１０のデザインイメージ生成依頼受付け部１４は、各エレベータごとに、パースデータファイルのデータベース検索をデータベースサーバ２０に要求する。具体的には、内装仕様データに特殊内装仕様の指定を含むエレベータについては、トップページ６００で入力済みの案件ＩＤを検索キーとするデータベース検索をデータベースサーバ２０に要求し、内装仕様データに特殊内装仕様の指定を含まないエレベータについては、エレベータ意匠仕様検討ページ６９０に再表示されたデータ(カゴ容量、ドア開き方向、内装仕様データ)を検索キーとするデータベース検索をデータベースサーバ２０に要求する(Ｓ５００７)。
【０１３３】
その結果、内装仕様データに特殊内装仕様の指定を含むエレベータについては、検索キー(案件ＩＤ)に対応付けられたパースデータファイル名のうち、そのエレベータについて作成されたパースデータファイル名がデザイン情報管理データベース２１Ｈから取り出され、さらに、そのパースデータファイル名のパースデータファイルが意匠図管理データベース２１Ｅから取り出される(Ｓ５００８)。一方、内装仕様データに特殊内装仕様の指定を含まないエレベータについては、カゴ容量、ドア開き方向、内装仕様データに対応付けられたパースデータファイルが意匠図管理データベース２１Ｅから取り出される(Ｓ５００９)。
【０１３４】
ＷＷＷサーバ１０のデザインイメージ生成依頼受付け部１４は、すべてのエレベータについてパースデータファイルを取得し終わると(Ｓ５０１０)、それらのパースデータファイルを建築設計者用端末６０に送信する。これにより、建築設計者用端末６０のディスプレイ装置６３上に開かれていたエレベータ意匠仕様検討ページ６９０上には、第四段階の場合と同様、エレベータ１号機についての既定の仕様データ７９１Ｄが再表示されるほか、返信データに含まれていたエレベータ１号機のパースデータ６９９がグラフィカルに表示される。そして、建築設計者が、このエレベータ意匠仕様検討ページ６９０上でボタン６９６をクリックするごとに、表示中のパースデータ６９９等に代えて、つぎのエレベータのパースデータ６９９等が表示される。そして、最後のエレベータのパースデータ６９９等が表示されると、見積りボタン６９７および２つのアンダーライン付き文字「Ｙ」「Ｎ」６９８がアクティブ状態となる(Ｓ５０１１)。ここで、建築設計者は、以下に示すように、エレベータ購入価格の見積りを必要とする場合であれば、見積りボタン６９７をクリックし、エレベータ購入価格の見積りを必要としない場合であれば、２つのアンダーライン付き文字「Ｙ」「Ｎ」６９８のいずれか一方をクリックすればよい。
【０１３５】
エレベータ購入価格の見積りを必要とする建築設計者が、エレベータ意匠仕様検討ページ６９０上の見積りボタン６９７をクリックすると(Ｓ５０１２)、トップページ６００で入力済みの案件ＩＤと、エレベータ意匠仕様検討ページ６９０上に再表示された各エレベータの内装仕様データとを含む見積り要求が建築設計者用端末６０からＷＷＷサーバ１０に送信され、以下のエレベータ価格見積り処理(Ｓ５０１３)が実行される。これにより、建築設計者は、自己の要求仕様を満たす特殊内装を有するエレベータの購入価格の見積り額およびその内訳を知ることができる。
【０１３６】
ＷＷＷサーバ１０の価格見積依頼受付部１６は、建築設計者用端末６０から見積り要求を受け付けると、それに含まれていた案件ＩＤを検索キーとするデータベース検索をデータベースサーバ２０に要求する。この要求に応じて、データベースサーバ２０は、検索キー(案件ＩＤ)に対応付けられた総合仕様管理情報および検討済み情報５００を顧客仕様管理データベース２１Ｃから取り出し、それらを返信する。ＷＷＷサーバ１０の価格見積依頼受付部１６は、この返信データを受け付けると、そのなかに含まれていた総合仕様管理情報内の各エレベータの仕様管理情報４００をそれぞれ修正する。具体的には、各エレベータごとに、それぞれ、見積り要求に含まれていた内装仕様データを仕様管理情報４００の所定のオプション仕様項目の仕様データ４０２に上書きする。
【０１３７】
さらに、ＷＷＷサーバ１０の価格見積依頼受付部１６は、内装仕様データに特殊内装仕様の指定を含むエレベータに関して、案件ＩＤを検索キーとするデータベース検索をデータベースサーバ２０に要求する。これに応じて、データベースサーバ２０は、検索キー(案件ＩＤ)に対応付けられたオプション仕様データをデザイン情報管理データベース２１Ｈから取り出し、それを返信する。ＷＷＷサーバ１０の価格見積依頼受付部１６は、この返信データを受け付けると、総合仕様管理情報内の仕様管理情報のうち、内装仕様データに特殊内装仕様の指定を含むエレベータの仕様管理情報４００をさらに修正する。具体的には、エレベータの仕様管理情報４００に含まれた仕様データのうち、特殊内装仕様の指定が記述されている仕様データ４０２に、その特殊内装仕様に割り当てられたオプション仕様データを上書きする。
【０１３８】
その後、ＷＷＷサーバ１０の価格見積依頼受付部１６は、各エレベータの仕様管理情報４００に記述されている仕様データのうち、空値以外のものを検索キーとするデータベース検索をデータベースサーバ２０に要求する。この要求に応じて、データベースサーバ２０は、各検索キーに対応付けられたオプション見積り価格３０１をオプション価格データベース２１Ｂからそれぞれ取り出し、それらをＷＷＷサーバ１０に返信する。ＷＷＷサーバ１０の価格見積依頼受付部１６は、この返信データを受付けると、その返信データに含まれていたオプション見積り価格をエレベータごとに集計する。そして、検討済み情報５００に含まれていた基本価格を各集計値にそれぞれ加算し、それらの加算値を、エレベータ各機の購入価格の見積り額とする。さらに、エレベータ各機の購入価格の見積り額を集計し、その集計値を、設置台数分のエレベータの購入価格の見積り額とする。そして、エレベータ１台当たりの購入価格の見積り額と、設置台数分のエレベータの購入価格の見積り額とを建築設計者用端末６０に送信する。あわせて、エレベータ１台当たりの購入価格の見積り額の算出に用いた各オプション見積り価格およびその検索に用いた仕様データも、エレベータ１台当たりの購入価格の見積り額の内訳として建築設計者用端末６０に送信する。
【０１３９】
これにより、建築設計者用端末６０のディスプレイ装置６３上には、図２０に示した価格見積り表示ページ７００が開かれる。この価格見積り表示ページ７００上には、前述したように、設置台数分のエレベータの購入価格の見積り額７０１が表示されるとともに、エレベータ１台当たりの価格の見積り額７０２およびその内訳７０３が各エレベータごとに表示される。建築設計者が、この価格見積り表示ページ７００上で、見積り額等を確認してからＯＫボタン７０４をクリックすると、建築設計者用端末６０のディスプレイ装置６３上には、再度、エレベータエレベータ意匠仕様検討ページ６９０が開かれる。
【０１４０】
一方、エレベータ購入価格の見積りを必要としない建築設計者が、エレベータ意匠仕様検討ページ６９０上の見積りボタン６９７をクリックせずに(Ｓ５０１２)、エレベータ意匠仕様検討ページ６９０上の２つのアンダーライン付き文字「Ｙ」「Ｎ」６９８のうちのいずれか一方の文字をクリックすると(Ｓ５０１４)、以下に示すように、クリックした文字に応じた処理が実行される。なお、すでに見積り額等を確認した建築設計者が、再表示されたエレベータ意匠仕様検討ページ６９０上の２つのアンダーライン付き文字「Ｙ」「Ｎ」６９８のうちのいずれか一方の文字をクリックした場合も、同様な処理が実行される。
【０１４１】
エレベータ意匠仕様検討ページ６９０上の一方のアンダーライン付き文字「Ｎ」がクリックされると(Ｓ５０１４)、再度、トップページ６００が建築設計者用端末６０のディスプレイ装置６３上で開かれ、それまで表示されていたエレベータパースおよび内装仕様データ等の情報が建築設計者用端末６０上から失われる(Ｓ５０１６)。したがって、例えば、エレベータの購入価格の見積り額等の参照によって、各エレベータの内装についての要求仕様を再検討する必要があると判断した場合等には、建築設計者は、ここで(Ｓ５０１４)、エレベータ意匠仕様検討ページ６９０上の一方のアンダーライン付き文字「Ｎ」をクリックすればよい。
【０１４２】
これに対して、エレベータ意匠仕様検討ページ６６０上の他方のアンダーライン付き文字「Ｙ」がクリックされると(Ｓ５０１４)、トップページ６００で入力済みの案件ＩＤと、各エレベータのパースデータファイル名と、エレベータ意匠仕様検討ページ６６０上で再表示された各エレベータの内装仕様データとを含むデータ保存要求が建築設計者用端末６０からＷＷＷサーバ１０に送信され、それらの情報を保存するための以下の処理(Ｓ５０１５)が実行される。したがって、ここで(Ｓ５０１４)、表示中の各内装仕様データがその後の建築設計作業に必要と判断した場合には、建築設計者は、エレベータ意匠仕様検討ページ６９０上のアンダーライン付き文字「Ｙ」をクリックする必要がある。
【０１４３】
ＷＷＷサーバ１０の意匠図作図依頼受付け部１５は、建築設計者用端末６０からデータ保存要求を受け付けると、それに含まれていた案件ＩＤを検索キーとするデータベース検索をデータベースサーバ２０に要求する。データベースサーバ２０は、この要求を受け付けると、検索キー(案件ＩＤ)に対応付けられた総合仕様管理情報を顧客仕様管理データベース２１Ｃから取り出し、それを返信する。ＷＷＷサーバ１０の意匠図作図依頼受付け部１５は、この返信データを受け付けると、それに含まれていた案件ＩＤを検索キーとするデータベース検索をデータベースサーバ２０に要求する。この要求に応じて、データベースサーバ２０は、検索キー(案件ＩＤ)に対応付けられた総合仕様管理情報を顧客仕様管理データベース２１Ｃから取り出し、それを返信する。
【０１４４】
ＷＷＷサーバ１０の意匠図作図依頼受付け部１５は、この返信データを受け付けると、そのなかに含まれていた総合仕様管理情報内の各エレベータの仕様管理情報４００をそれぞれ修正する。具体的には、各エレベータごとに、それぞれ、データ保存要求に含まれていた内装仕様データを仕様管理情報４００の所定のオプション仕様項目の仕様データ４０２に上書きする。
【０１４５】
さらに、ＷＷＷサーバ１０の意匠図作図依頼受付け部１５は、内装仕様データに特殊内装仕様の指定を含むエレベータに関して、案件ＩＤを検索キーとするデータベース検索をデータベースサーバ２０に要求する。これに応じて、データベースサーバ２０は、検索キー(案件ＩＤ)に対応付けられたオプション仕様データをデザイン情報管理データベース２１Ｈから取り出し、それを返信する。ＷＷＷサーバ１０の意匠図作図依頼受付け部１５は、この返信データを受け付けると、総合仕様管理情報内の仕様管理情報のうち、内装仕様データに特殊内装仕様の指定を含むエレベータの仕様管理情報４００をさらに修正する。具体的には、エレベータの仕様管理情報４００に含まれた仕様データのうち、特殊内装仕様の指定が記述されている仕様データ４０２に、その特殊内装仕様に割り当てられたオプション仕様データを上書きする。
【０１４６】
その後、ＷＷＷサーバ１０の意匠図作図依頼受付け部１５は、各エレベータの仕様管理情報４００に記述されている仕様データのうち、空値以外のものを検索キーとするデータベース検索をデータベースサーバ２０に要求する。この要求に応じて、データベースサーバ２０は、各検索キーに対応付けられたオプション見積り価格３０１をオプション価格データベース２１Ｂからそれぞれ取り出し、それらをＷＷＷサーバ１０に返信する。
【０１４７】
ＷＷＷサーバ１０の意匠図作図依頼受付け部１５は、この返信データを受け付けると、それに含まれていたオプション見積り価格と、その検索キーとして用いられた内装仕様データとによって、総合仕様管理情報の各仕様管理情報４００を修正する。具体的には、各エレベータごとに、それぞれ、オプション価格データベース２１Ｂから取り出されたオプション見積り価格およびその検索キーとして用いられた内装仕様データを、仕様管理情報４００の所定仕様項目の見積り価格４０３および仕様データ４０３に上書きする。
【０１４８】
その後、ＷＷＷサーバ１０の意匠図作図依頼受付け部１５は、この総合仕様管理情報のデータベース登録をデータベースサーバ２０に要求する。これに応じて、データベースサーバ２０は、顧客仕様管理データベース２１Ｃに登録されている総合仕様管理情報群のうち、データ保存要求に含まれていた案件ＩＤに対応する総合仕様管理情報を、新たな総合仕様管理情報で更新する。
【０１４９】
つぎに、ＷＷＷサーバ１０の意匠図作図依頼受付け部１５は、データ保存要求に含まれていた各エレベータの情報(パースデータファイル名、内装仕様データ)と現在の日付とのデータベース登録をデータベースサーバ２０に要求する。これに応じて、データベースサーバ２０は、顧客仕様管理データベース２１Ｃに登録されている検討済み情報群のうち、データ保存要求に含まれていた案件ＩＤに対応する検討済み情報５００に、それらの情報を登録する。これにより、データ保存要求に含まれていた案件ＩＤに対応する検討済み情報５００には、サービス名「エレベータ意匠図作図サービス」５０１に対応付けられた各フィールドに、現在の日付、各エレベータの内装仕様データ(天井デザインタイプ名、材質データ、ハンドレール取付の有無等)、各エレベータのパースデータファイル名が、サービス提供日５０２、ユーザ提供情報５０３、ユーザ取得情報５０４として記述される。
【０１５０】
このようにして顧客仕様管理データベース２１Ｃのデータ更新が終了すると、その旨のメッセージが、データベースサーバ２０から、ＷＷＷサーバ１１を介して建築設計者用端末６０に送信される。このメッセージを受け付けた建築設計者用端末６０側では、図１６に示した据付図ダウンロードページとほぼ同様なレイアウトの意匠図ダウンロード画面が開かれる。建築設計者が、この意匠図ダウンロード画面上において、案件ＩＤ入力ボックスに案件ＩＤを入力してから、据付図データのダウンロードを指示するためのアンダーライン付き文字列をクリックすると、案件ＩＤを含む意匠図検索要求がＷＷＷサーバ１０に送信される(Ｓ５０１７)。
【０１５１】
ＷＷＷサーバ１０の意匠図作図依頼受付け部１５は、この要求を受け付けると、それに含まれていた案件ＩＤを検索キーとするデータベース検索をデータベースサーバ２０に要求する。これに応じて、データベースサーバ２０は、その案件ＩＤに対応付けられた検討仕様済み情報５００を顧客仕様管理データベース２１Ｃから取り出し、それを、ＷＷＷサーバ１０に送信する。ＷＷＷサーバ１０の意匠図作図依頼受付け部１５は、その返信データを受け付けると、そのなかに含まれている検討仕様済み情報５００のユーザ取得情報群のうち、サービス名「エレベータ意匠図作図サービス」５０１に対応付けられているユーザ取得情報５０４を取り出す。そして、このユーザ取得情報５０４に含まれている各パースデータファイル名を検索キーとするデータベース検索をデータベースサーバ２０に要求する。これに応じて、データベースサーバ２０は、各検索キー(パースデータファイル名)に該当するパースデータに対応付けられた意匠図データファイルを意匠図管理データベース２１Ｅから取り出す(Ｓ５０１８)。これらの意匠図データファイルが、建築設計者用端末６０にダウンロードされる。これにより、建築設計者は、１台または複数台のエレベータの内装に自己の希望する特殊な仕様を反映させるための意匠図を得ることができる(Ｓ５０１９)。
【０１５２】
このように、本実施の形態に係るエレベータ設計支援処理の第五段階によれば、建築設計者は、自己の建築設計中の建屋に設置するエレベータに特殊な内装を希望する場合であっても、その仕様が内装に反映されたエレベータまたはエレベータ集合体の見積り額およびその内訳を知ることができる。すなわち、建築設計者は、現在抱いている特殊な内装イメージをそのまま採用した場合に、エレベータまたはエレベータ集合体の購入価格がどの程度の額になるのかを知ることができる。このため、建築設計者は、エレベータの内装について現時点までに決めてある要求仕様を、自己が建築設計中の建屋の予算との兼ね合いで変更する最終必要があるかどうかを検討することができる。その検討結果に応じて、エレベータの内装仕様を調整すれば、実際のエレベータ購入価格が大幅な予算オーバーとなる事態を防止することができる。
【０１５３】
以上述べたように、本実施の形態に係るエレベータ設計支援処理によれば、エレベータの仕様が完全には決定されていない段階であっても、未決定の仕様に標準的な仕様が採用されていると仮定して、エレベータの購入価格が見積もられるため、建築設計者は、エレベータの仕様を決めていく各段階において、必要に応じて随時、エレベータの購入価格としてより現実性のある額を把握することができる。すなわち、建築設計者には、建築設計中、自己の要求が予算の点において実現性のあるものかどうかを適正に判断する機会が与えられる。
【０１５４】
以上においては、各オプション仕様の実現に必要となる費用をオプション見積り額としてそれぞれオプション価格データベース２１Ｂに登録しておき、建築設計者指定のオプション仕様の実現に必要となるオプション見積り額をオプション価格データベース２１Ｂから取得するようにしているが、必ずしも、このようにする必要はない。例えば、オプション仕様の実現に必要となる費用を、オプション仕様の部品展開によって求めるようにしてもよい。具体的には、オプション仕様に用いられる組立て品を最小部品(それ以上展開できない部品)まで展開することによって、オプション仕様の所要最小部品を求め、それら所要最小部品の価格の合計を、オプション仕様の実現に必要な費用として求めるようにすればよい。ただし、この場合、オプション仕様に用いる組立て品を最上位とする部品間の親子関係が格納された部品表データベースと、最小単位の各部品の価格(材料費等)が登録された原価データベースとを、オプション価格データベース２１Ｂの代わりに設けておく必要がある。さらに、子部品から親部品が形成されるまでに要する経費(加工費、組立て費等)を、部品間の親子関係に対応付けて原価データベースに登録しておき、オプション仕様の部品展開により得られる親子関係に対応付けられた経費も、オプション仕様の所要最小部品の合計価格に加算されるようにすれば、エレベータ購入価格をより正確に見積もることができる。
【０１５５】
なお、以上では、第二段階以下の処理において、前段階の処理において定められた仕様項目の仕様データもＷＷＷサーバ１０に送信されるようにしているが、前段階の処理において定められた仕様データに変更が加えられる可能性がない場合には、前段階の処理において定められた仕様データ以外の仕様データと案件ＩＤとがＷＷＷサーバ１０に送信されるようにしてもよい。前段階の処理において定められた仕様データは、案件ＩＤを検索キーとするデータベース検索によって取得することができるからである。このことは、以下においても同様である。
【０１５６】
以上の第二段階〜第五段階の処理においては、仕様データが未設定のオプション仕様項目に、デフォルトとして定められた仕様データが設定されているものとして、エレベータ購入価格の見積り額を算出しているが、それ以外の方法によって、エレベータ購入価格を見積もるようにしてもよい。以下、エレベータ購入価格の見積り方法の他の具体例を挙げておく。
【０１５７】
(１)エレベータ購入価格の見積り額を直接取得することができるデータベースを、第二段階〜第五段階の各段階ごとに設ける方法
【０１５８】
この方法を採用する場合には、図３５に示すように、オプション価格データベース２１Ｂに代えて、以下の３種類のエレベータ見積り価格管理データベース(ＣＡＤシンボル提供サービス用エレベータ見積り価格管理データベース２１Ｂ1、据付図作図サービス用エレベータ見積り価格管理データベース２１Ｂ2、意匠仕様検討サービス用エレベータ見積り価格管理データベース２１Ｂ3)を、データベースサーバ２０の外部記憶装置２１に設ける必要がある。
【０１５９】
ＣＡＤシンボル提供サービス用エレベータ見積り価格管理データベース２１Ｂ1には、ＣＡＤシンボル提供サービスにおいて見積り要求がなされるまでに定まる仕様項目のうち、エレベータ１台当たりの購入価格に影響を与える仕様項目の仕様データに、エレベータ１台当たりの購入価格を対応付けた情報が格納されている。具体的には、図３６に示すように、エレベータ１台当たりの購入価格に影響を与える仕様項目(ここでは、エレベータ用途、ドア開き方向、トランクの有無、搬送速度、階床数とする)の仕様データ３５０１とエレベータ１台当たりの購入価格の見積り額３５０２との対応情報が登録されたエレベータ見積り価格管理テーブル３５００が建屋用途ごとに格納されている。なお、このエレベータ見積り価格管理テーブル３５００に登録されている見積り額３５０２は、対応する仕様データ３５０１を満す、標準的な内装が施されたエレベータ１台当たりの価格である。
【０１６０】
据付図作図サービス用エレベータ見積り価格管理データベース２１Ｂ2には、据付図作図サービスにおいて見積り要求がなされるまでに定まる仕様項目のうち、エレベータ１台当たりの購入価格に影響を与える仕様項目の仕様データに、エレベータ１台当たりの購入価格を対応付けた情報が格納されている。具体的には、図３７に示すように、エレベータ１台当たりの購入価格に影響を与える仕様項目(ここでは、エレベータ用途、ドア開き方向、トランクの有無、搬送速度、ガイドレールサイズ、階床数とする)の仕様データ３６０１とエレベータ１台当たりの購入価格の見積り額３６０２との対応情報が登録されたエレベータ見積り価格管理テーブル３６００が建屋用途ごとに格納されている。なお、このエレベータ見積り価格管理テーブル３６００に登録されている見積り額３６０２は、対応する仕様データ３６０１を満す、標準的な内装が施されたエレベータ１台当たりの価格である。
【０１６１】
意匠仕様検討サービス用エレベータ見積り価格管理データベース２１Ｂ3には、意匠仕様検討サービスにおいて見積り要求がなされるまでに定まる仕様項目のうち、エレベータ１台当たりの購入価格に影響を与える仕様項目の仕様データに、エレベータ１台当たりの購入価格を対応付けた情報が格納されている。具体的には、図３８に示すように、エレベータ１台当たりの購入価格に影響を与える仕様項目(ここでは、エレベータ用途、ドア開き方向、トランクの有無、搬送速度、レールサイズ、フロア数、側板材質、床材材質、ハンドレールの有無および材質、天井デザインパタン名とする)の仕様データ３７０１とエレベータ１台当たりの購入価格の見積り額３７０２との対応情報が登録されたエレベータ見積り価格管理テーブル３７００が建屋用途ごとに格納されている。なお、このエレベータ見積り価格管理テーブル３７００に登録されている見積り額３７０２は、対応する仕様データ３７０１を満す、標準的な内装が施されたエレベータ１台当たりの価格である。
【０１６２】
第二段階〜第四段階の各処理においては、これらの見積り価格管理データベース２１Ｂ1,２１Ｂ2,２１Ｂ3を利用して、以下のように、エレベータの購入価格の見積り額が定められる。
【０１６３】
ｉ）第二段階(Ｓ２０００)の処理(図６、図１１参照)
第二段階の処理では、エレベータシンボル表示ページ６６０の見積りボタン６６９がクリックされると(Ｓ２００５)、Ｓ２００６において、以下の処理が実行される。
【０１６４】
表示中のデータ６６２,６６６Ａ,６６６Ｂのうち、エレベータ１台当たりの購入価格に影響を与える仕様項目(ここでは、建屋用途、フロア数、エレベータ用途、ドア開き方向、トランクの有無、搬送速度)の仕様データを含んだ見積り要求が建築設計者用端末６０からＷＷＷサーバ１０に送信される。この見積り要求を受け付けたＷＷＷサーバ１０の価格見積依頼受付部１６は、その見積り要求に含まれていた情報(建屋用途、フロア数、エレベータ用途、ドア開き方向、トランクの有無、搬送速度)を検索キーとするデータベース検索を、エレベータの各号ごとにデータベースサーバ２０に要求する。これらのデータベース要求のそれぞれに応じて、データベースサーバ２０は、ＣＡＤシンボル提供サービス用エレベータ見積り価格管理データベース２１Ｂ1を検索し、検索キーの１つ(建屋用途)に対応付けられたエレベータ見積り価格管理テーブル３５００から、残りの検索キー(フロア数、エレベータ用途、ドア開き方向、トランクの有無、搬送速度)に対応付けられた見積り額３５０２を取り出す。そして、データベースサーバ２０は、このとき得られた、エレベータ各号機の見積り額をＷＷＷサーバ１０に返信する。
【０１６５】
ＷＷＷサーバ１０の価格見積依頼受付部１６は、この返信データを受付けると、その返信データに含まれていた、エレベータ各号機の見積り額を合計し、その合計値を、設置台数分のエレベータの購入価格の見積り額とする。そして、ＷＷＷサーバ１０の価格見積依頼受付部１６は、エレベータ各号機の購入価格の見積り額と、設置台数分のエレベータの購入価格の見積り額とを建築設計者用端末６０に送信する。
【０１６６】
これにより、建築設計者用端末６０のディスプレイ装置６３上には、エレベータ各号機の購入価格の見積り額と、設置台数分のエレベータの購入価格の見積り額とが表示された価格見積り額表示ページ７００が開かれる。
【０１６７】
なお、ここでは、見積り価格の内訳けを価格見積り額表示ページ７００に表示しないこととしたが、ＣＡＤシンボル提供サービス用エレベータ見積り価格管理データベース２１Ｂ1のエレベータ見積り価格管理テーブル３５００に、エレベータ購入価格の見積り額３５０２の内訳けを格納しておくことによって、前述の場合と同様、エレベータ購入価格の見積り額の内訳けが価格見積り額表示ページ７００に表示されるようにしてもよい。
【０１６８】
ii)第三段階(Ｓ３０００)の処理(図６、図１４参照)
第三段階の処理では、Ｓ３００８において、設備設計者は、据付図の作成中、エレベータ１台当たりの購入価格に影響を与える仕様項目の仕様データとして、各エレベータのガイドレールサイズを決定する。そこで、ここでは、建築設計者から依頼された据付図データが完成されたら、顧客仕様管理データベース２１Ｃに登録されている検討済み情報５００のユーザ提供情報として、各エレベータのガイドレールのサイズが、前述の建築図データファイル名とともに登録されるようにする(Ｓ３００９)。
【０１６９】
そして、エレベータ購入価格の見積りを必要とする建築設計者が、据付図ダウンロードページ６８０上で、案件入力ボックス６８１に案件ＩＤを入力してから見積りボタン６８２をクリックすると、案件入力ボックス６８１内の案件ＩＤを含む見積り要求が、建築設計者用端末６０からＷＷＷサーバ１０に送信され、以下のエレベータ価格見積り処理が実行される。
【０１７０】
この見積り要求に応じて、ＷＷＷサーバ１０の価格見積依頼受付部１６は、その要求に含まれていた案件ＩＤを検索キーとするデータベース検索をデータベースサーバ２０に要求する。この要求に応じて、データベースサーバ２０は、検索キー(案件ＩＤ)に対応付けられた検討済み情報５００を顧客仕様管理データベース２１Ｃから取り出して、それを返信する。
【０１７１】
ＷＷＷサーバ１０の価格見積依頼受付部１６は、データベースサーバ２０からの返信データを受け付けると、その返信データに含まれていた検討済み情報５００のうちの所定の情報(建屋用途、フロア数、エレベータ用途、ドア開き方向、トランクの有無、搬送速度、ガイドレールサイズ)を検索キーとするデータベース検索をエレベータ各号機ごとにデータベースサーバ２０に要求する。これらの要求のそれぞれに応じて、データベースサーバ２０は、据付図作図サービス用エレベータ見積り価格管理データベース２１Ｂ2を検索し、検索キーの１つ(建屋用途)に対応付けられたエレベータ見積り価格管理テーブル３６００から、残りの検索キー(フロア数、エレベータ用途、ドア開き方向、トランクの有無、搬送速度、ガイドレールサイズ)に対応付けられた見積り額３６０２を取り出す。そして、データベースサーバ２０は、このとき得られた、エレベータ各号機の見積り額をＷＷＷサーバ１０に返信する。
【０１７２】
ＷＷＷサーバ１０の価格見積依頼受付部１６は、この返信データを受付けると、その返信データに含まれていた、エレベータ各号機の見積り額を合計し、その合計値を、設置台数分のエレベータの購入価格の見積り額とする。そして、ＷＷＷサーバ１０の価格見積依頼受付部１６は、エレベータ各号機の購入価格の見積り額と、設置台数分のエレベータの購入価格の見積り額とを建築設計者用端末６０に送信する。
【０１７３】
これにより、建築設計者用端末６０のディスプレイ装置６３上には、エレベータ各号機の購入価格の見積り額と、設置台数分のエレベータの購入価格の見積り額とが表示された価格見積り額表示ページが開かれる。
【０１７４】
なお、ここでは、見積り価格の内訳けを価格見積り額表示ページに表示しないこととしたが、据付図作図サービス用エレベータ見積り価格管理データベース２１Ｂ2のエレベータ見積り価格管理テーブル３６００に、エレベータ購入価格の見積り額３６０２の内訳けを格納しておくことによって、エレベータ購入価格の見積り額の内訳けが価格見積り額表示ページに表示されるようにしてもよい。
【０１７５】
また、ここでは、エレベータ購入費用に影響を与える仕様項目の仕様データとして、ガイドレールサイズだけを設備設計者が定めることとしているが、実際には、それ以外にも、エレベータ購入費用に影響を与える仕様項目の仕様データを設備設計者が定める可能性がある。そのような可能性がある場合には、その仕様データも、エレベータ１台当たりの購入価格の見積り額の検索キーとして用いられるように、その仕様データを、さらに、据付図作図サービス用エレベータ見積り価格管理データベース２１Ｂ2の仕様データ３６０１に付加しておけばよい。
【０１７６】
iii)第四段階(Ｓ４０００)の処理(図６、図１７参照)
第四段階の処理では、エレベータ意匠仕様検討ページ６９０上の見積りボタン６９７がクリックされると(Ｓ４００６)、Ｓ４００７において、以下の処理が実行される。
【０１７７】
トップページ６００で入力済みの案件ＩＤと、エレベータ意匠仕様検討ページ６９０上で設定した各エレベータの内装仕様データとを含む見積り要求が建築設計者用端末６０からＷＷＷサーバ１０に送信される。ＷＷＷサーバ１０の価格見積依頼受付部１６は、建築設計者用端末６０からの見積り要求を受け付けると、それに含まれていた案件ＩＤを検索キーとするデータベース検索をデータベースサーバ２０に要求する。この要求に応じて、データベースサーバ２０は、検索キー(案件ＩＤ)に対応付けられた検討済み情報５００を顧客仕様管理データベース２１Ｃから取り出して、それらを返信する。
【０１７８】
ＷＷＷサーバ１０の価格見積依頼受付部１６は、データベースサーバ２０からの返信データを受け付けると、その返信データに含まれていた検討済み情報５００のうちの所定の情報(建屋用途、フロア数、エレベータ用途、ドア開き方向、トランクの有無、搬送速度、ガイドレールサイズ)と、建築設計者用端末６０からの見積り要求に含まれていた内装仕様データとを検索キーとするデータベース検索を、エレベータ各号機ごとにデータベースサーバ２０に要求する。これらの要求のそれぞれに応じて、データベースサーバ２０は、意匠仕様検討サービス用エレベータ見積り価格管理データベース２１Ｂ3を検索し、検索キーの１つ(建屋用途)に対応付けられたエレベータ見積り価格管理テーブル３７００から、残りの検索キー(フロア数、エレベータ用途、ドア開き方向、トランクの有無、搬送速度、ガイドレールサイズ、天井デザインパタン名、側板材質、床材質、ハンドレールの有無および材質)に対応付けられた見積り額３７０２を取り出す。そして、データベースサーバ２０は、このとき得られた、エレベータ各号機の見積り額をＷＷＷサーバ１０に返信する。
【０１７９】
ＷＷＷサーバ１０の価格見積依頼受付部１６は、この返信データを受付けると、その返信データに含まれていた、エレベータ各号機の見積り額を合計し、その合計値を、設置台数分のエレベータの購入価格の見積り額とする。そして、ＷＷＷサーバ１０の価格見積依頼受付部１６は、エレベータ各号機の購入価格の見積り額と、設置台数分のエレベータの購入価格の見積り額とを建築設計者用端末６０に送信する。
【０１８０】
これにより、建築設計者用端末６０のディスプレイ装置６３上には、エレベータ各号機の購入価格の見積り額と、設置台数分のエレベータの購入価格の見積り額とが表示された価格見積り額表示ページ７００が開かれる。
【０１８１】
なお、ここでは、見積り価格の内訳けを価格見積り額表示ページ７００に表示しないこととしたが、意匠図仕様検討サービス用エレベータ見積り価格管理データベース２１Ｂ3のエレベータ見積り価格管理テーブル３５００に、エレベータ購入価格の見積り額３７０２の内訳けを格納しておくことによって、前述の場合と同様、エレベータ購入価格の見積り額の内訳けが価格見積り額表示ページ７００に表示されるようにしてもよい。
【０１８２】
また、各フロアのエレベータ出入口等のような、各フロアごとに異なる意匠が施される可能性がある仕様項目の仕様データをエレベータ意匠仕様検討ページ６９０でそれぞれ定めることができるようした場合には、そのような仕様項目の各仕様データと見積り額とを対応付けた見積り価格管理テーブルを別途設けておき、ＷＷＷサーバ１０の価格見積依頼受付部１６が、この見積り価格管理テーブルの検索によって各フロアごとに得られた見積り額を、意匠仕様検討サービス用エレベータ見積り価格管理データベース２１Ｂ3から得られた見積り額３７０２に加算することによって、エレベータ１台当たりの購入価格の見積り額を得るようにすればよい。
【０１８３】
(２)過去の取引きにおけるエレベータ実績価格から、エレベータの購入価格を見積もる方法
【０１８４】
この方法を採用する場合には、オプション価格データベース２１Ｂに代えて、実際に取引き契約が成立したエレベータの購入価格(実績価格)を、所定の仕様データに対応付けて保存するためのエレベータ実績価格管理データベースを、データベースサーバ２０の外部記憶装置２１に設ける必要がある。そして、エレベータの取引き契約が成立するごとに、エレベータの実購入価格が、エレベータ実績価格として、そのエレベータの所定の仕様データとともにデータベースに登録されるようにする必要がある。例えば、建築設計者の発注指示を受け付けるボタンをエレベータ意匠仕様検討ページ６９０等に設けた場合には、そのボタンがクリックされたときに、ＷＷＷサーバ１０の価格見積り依頼受付け部１５が、第四段階または第五段階における最終見積り額を、エレベータの実購入価格としてエレベータ実績価格管理データベースに登録するようにしてもよいし、エレベータ購入価格についての交渉が建築設計者と設備設計者との間で持たれる場合には、エレベータ購入価格についての合意が建築設計者と設備設計者との間で得られたときに、その価格を、設備設計者が、エレベータの実績価格としてデータベースエレベータ実績価格管理に登録するようにするようにしてもよい。
【０１８５】
さて、このようなエレベータ実績価格管理データベースの登録データを利用して、以下のように、エレベータ購入価格の見積り額が定められる。なお、ここでは、第一段階(Ｓ１０００)で建築設計者が指定するフロア数を、エレベータの実績価格(一案件で取り引されたエレベータ全号機トータルの価格)とともにエレベータ実績価格管理データベースに登録される仕様データとした場合を例に挙げることとする。
【０１８６】
第一段階(Ｓ１０００)の処理において、エレベータ機種・台数計画案表示ページ６２０上の見積りボタン６２２がクリックされると(Ｓ１００４)、Ｓ１００５において、建屋情報のフロア数を含む見積り要求が建築設計者用端末６０からＷＷＷサーバ１０に送信される。ＷＷＷサーバ１０の価格見積依頼受付部１６は、この見積り要求を受け付けると、エレベータ実績価格管理データベースのすべての登録データの検索をデータベースサーバ２０に要求する。この要求に応じて、データベースサーバ２０は、エレベータ実績価格管理データベースからすべての登録データを取り出し、それらをＷＷＷサーバ１０に返信する。
【０１８７】
この返信データを受け付けたＷＷＷサーバ１０の価格見積依頼受付部１６は、フロア数を入力とし、かつ、エレベータ実績価格を出力とするエレベータ実績価格モデルを、その返信データに含まれていたデータ群に基づき算出する。例えば、エレベータ実績価格がフロア数に対して線形であると考えて、最小二乗法により、図３９に示すような線形関数３８００を、エレベータ実績価格モデルとして算出する。そして、ＷＷＷサーバ１０の価格見積依頼受付部１６は、このとき得られたエレベータ実績価格モデルに、建築設計者用端末６０からの見積り要求に含まれていたフロア数を入力することによって、エレベータ実績価格の推定値を算出し、この推定値を、設置台数分のエレベータの購入価格の見積り額として、建築設計者用端末６０に返信する。また、最小二乗法を用いたことによる誤差３８０１も、設置台数分のエレベータの購入価格の見積り額とともに建築設計者用端末６０に返信してもよい。
【０１８８】
これにより、建築設計者用端末６０のディスプレイ装置６３上には、設置台数分のエレベータの購入価格の見積り額が表示された価格見積り額表示ページが開かれる。また、ＷＷＷサーバ１０からの返信データに誤差が含まれていた場合には、それも、設置台数分のエレベータ購入価格の見積り額の変動幅として、価格見積り額表示ページに表示される。
【０１８９】
なお、ここでは、ＷＷＷサーバ１０が見積り要求を受け付けるごとに、エレベータ実績価格モデルを算出しているが、必ずしも、このようにする必要はない。例えば、定期的に、新たなエレベータ実績価格モデルを算出するようにしてもよいし、所定数の取引きが終了するごとに、それらの取引きにおけるエレベータ実績価格と、エレベータ実績価格モデルから得られた推定値との誤差をそれぞれ算出し、それらの誤差の平均が所定の値を超えたら、エレベータ実績価格モデルを新たに算出するようにしてもよい。
【０１９０】
また、ここでは、エレベータ実績価格管理データベースのすべての登録データを用いてエレベータ実績価格モデルを算出しているが、適当なグループ別(例えば、建屋用途別、顧客別、エレベータ用途等)にエレベータ実績価格モデルを算出するようにしてよい。このようにする場合には、エレベータ実績価格管理データベースからエレベータ実績価格をグループごとに取り出すことできるように、グループの識別情報(建屋用途、顧客、エレベータ用途等)もエレベータ実績価格とともにエレベータ実績価格管理データベースに登録されるようにする必要がある。そして、例えば、第一段階では、建築設計者指定の建屋用途と建屋用途が共通するグループの登録データをエレベータ実績価格モデルの算出に用い、第二段階では、第一段階でエレベータ実績価格モデル算出に用いた登録データのうち、さらにエレベータ用途も建築設計者指定のエレベータ用途と共通するグループの登録データをエレベータ実績価格モデルの算出に用いる、というように、エレベータ実績価格モデル算出に用いる登録データが順次絞り込まれるようにしてもよい。また、顧客別にエレベータ実績価格モデルを算出するようにした場合には、取引案件数に応じた割引きがなされるように、エレベータ実績価格モデルの傾きが、エレベータ実績価格管理の登録データ数に応じて調整(登録データ数が多ければ、モデルの傾きが小さく)されるようにしてもよい。
【０１９１】
また、ここでは、エレベータ実績価格モデルの入力をフロア数としたが、建屋の規模に相関する他の仕様項目の仕様データ(各フロアの居住人口等)をエレベータ実績価格モデルの入力としてもよい。
【０１９２】
ところで、以上においては、建築設計者が見積りを希望していた場合に、その時点で定まるエレベータ購入価格の見積り額を建築設計者に提示しているが、さらに、それまでの経緯における見積り額推移を見積り履歴として提示するようにしてもよい。以下、そのような機能を実現させるための構成について、未設定のオプション仕様項目にデフォルト仕様データが設定されているものとしてエレベータ購入価格を見積る前述の場合を例に挙げて説明する。
【０１９３】
このようにするには、顧客仕様管理データベース２１Ｃには、さらに、図２７に示す仕様履歴情報を登録する必要がある。この仕様履歴情報９００には、顧客仕様管理データベース２１Ｃの総合仕様管理情報が更新されるごとに、その更新日の日付９０１と新たな総合仕様管理情報９０２とが追加される。すなわち、ＷＷＷサーバ２０は、建築設計者用端末６０からのデータ保存要求に応じて、顧客仕様管理データベース２１Ｃの総合仕様管理情報を新たな総合仕様管理情報で更新すると(第一段階のＳ１００７、第二段階のＳ２００８、第四段階のＳ４００９、第五段階のＳ５０１５)、その後さらに、その総合仕様管理情報をその日の日付に対応付けて仕様履歴情報９００に追加する。
【０１９４】
また、建築設計者用端末６０のディスプレイ装置６３に表示される価格見積り表示ページ７００上には、図２６に示すように、見積り履歴の表示を指示するための見積履歴ボタン７０５をさらに配置しておく必要がある。この見積履歴ボタン７０５が建築設計者によってクリックされた場合に、案件ＩＤを含む見積り履歴検索要求が建築設計者用端末６０からＷＷＷサーバ２０が送信され、以下の処理が実行されるようにすればよい。
【０１９５】
ＷＷＷサーバ２０の価格見積り依頼受付け部１６は、建築設計者用端末６０からの見積り履歴検索要求を受け付けると、まず、それに含まれていた案件ＩＤを検索キーとするデータベース検索をデータベースサーバ２０に要求する。これに応じて、データベースサーバ２０が、検索キー(案件ＩＤ)に対応付けられた検討済み情報５００および仕様履歴情報９００を顧客仕様管理データベース２１Ｃから取り出して、それらをＷＷＷサーバ２０に返信すると、ＷＷＷサーバ２０の価格見積り依頼受付け部１６は、その返信データに含まれていた仕様履歴情報９００に格納されている各総合仕様管理情報９０２ごとに、それぞれ、第一段階のＳ１００５、第二段階のＳ２００６、第三段階のＳ４００７、第四段階のＳ５０１３において用いられた方法と同様な方法によって、エレベータ１台当たりの購入費用の見積り額および設置台分のエレベータの購入費用の見積り額を算出する。そして、その算出結果、すなわち、エレベータ各機の購入費用の見積り額および設置台分のエレベータの購入費用の見積り額を、その算出に用いた総合仕様管理情報の更新日の日付９０１、すなわち、見積り日に対応付けて、建築設計者用端末６０に返信する。あわせて、エレベータ各機の購入価格の見積り額の算出に用いたオプション見積り価格およびその検索に用いた仕様データも、エレベータ１台当たりの購入価格の見積り額の内訳として建築設計者用端末６０に送信する。これにより、建築設計者用端末６０のディスプレイ装置６３には、図２６の価格見積り額表示ページ６００上に重ねて、図２８に示す見積り履歴表示ページ７１０が表示される。この見積り表示ページ７１０上には、スクロールバー付きリストボックス７１１、ページを閉じるためのボタン７１７が配置されている。リストボックス７１１内の複数の項目には、返信データに含まれていた見積り日ごとの情報、すなわち、見積り日の日付け７１３、設置台分のエレベータの購入費用の見積り額７１５、各エレベータ１台当たりの購入費用の見積り額７１４が、見積り日の日付の新しい順にソートされて表示されている。また、エレベータ１台当たりの購入費用の見積り額７１４の隣には、それぞれ、その見積り額の内訳を表示させるための内訳表示ボタン７１６が配置されている。いずれかの内訳表示ボタン７１６がクリックされると、その内訳表示ボタン７１６の隣の見積り額７１４の算出に用いられた内訳７２１が表示されたページ７２０が開かれる。
【０１９６】
このように、それまでの経緯における見積り額推移を見積り履歴として提示することによって、建築設計者は、新たな見積り額と過去の見積り額とを比較検討することができる。なお、ここでは、未設定のオプション仕様項目にデフォルト仕様データが設定されているものとしてエレベータ購入価格を見積もる場合を例に、見積り履歴を建築設計者に提示する処理を説明したが、エレベータ購入価格の見積り額をデータベースから直接取得することとした場合、過去の取引きにおけるエレベータ実績価格からエレベータ購入価格を見積もることとした場合にであっても、各段階で得られた見積り額を仕様履歴情報の代わりに保存しておくようにすれば、建築設計者に見積り履歴を提示することは可能である。
【０１９７】
ところで、建築設計者は、自己の建築設計中の建屋に設置するエレベータのおおまかな予算が指定されている場合等には、その予算の範囲で、どのような装備のエレベータを実現できるのか知りたいと思うことがある。そこで、上述のシステムを拡張し、さらに以下の機能を付加することによって、このようなニーズを満足させるようにしてもよい。
【０１９８】
この場合のＷＷＷサーバ１０は、図２９に示すように、ソフトウエア等により実現される機能構成として、図１に示した前述の各機能構成部１１,１２,１３,１４,１５の他、さらに、(7)エレベータの予算を建築設計者から受け付けると、その予算の範囲で作成したエレベータ仕様案を建築設計者に提供する仕様案作成依頼受付け部１７を有している。この仕様案作成依頼受付け部１７は、建屋の用途ごとに仕様案作成用情報を有している。図３１に示すように、それぞれの仕様案作成用情報９１０には、エレベータのグレードごとに、そのグレードの名前９１１、そのグレードのエレベータの標準装備を表す標準仕様情報９１３、そのグレードに属する装備予算の範囲９１２が格納されている。そして、標準仕様情報９１３には、建築設計者が仕様を選択することができるオプション仕様項目ごとに、それぞれ、オプション仕様項目名９１３Ａ、グレードに応じて設定されたデフォルト仕様データ９１３Ｂが格納されている。
【０１９９】
そして、エレベータ設計支援サイトのトップページ６００でサービス名「エレベータ機種・台数計画サービス」６０２がクリックされた場合に開かれる建屋情報入力ページ６１０には、図３０に示すように、図９に示した前述のツール６１１,６１１Ａ,６１２,６１２Ａ,６１３,６１３Ａ,６１４の他、さらに、エレベータの予算の入力を受け付けるための予算入力ボックス６１５が配置される。そして、ＯＫボタン６１４がクリックされた場合には、予算入力ボックス６１５に設定された予算も、他の入力ボックス６１１,６１２,６１３に設定された建屋情報(建屋用途、フロアー数、居住人口)とともに建築設計者用端末６０からＷＷＷサーバ１０に送信されるようにする。なお、予算入力ボックス６５１に予算を設定するか否かは建築設計者の任意であり、予算入力ボックス６５１に予算が設定されていない場合には、前述の場合と同様、建屋情報だけを含むデータ検索要求がＷＷＷサーバ１０に送信され、エレベータ機種・台数計画案６２１が表示されたエレベータ機種・台数計画案表示ページ６２０が建築設計者用端末６０のディスプレイ装置６３上で開かれる。
【０２００】
ＷＷＷサーバ１０の機種・台数計画依頼受付け部１１は、建屋情報と予算とを含むデータ検索要求を受け付けると、前述の場合と同様、データ検索要求から建屋情報を取り出し、この建屋情報を検索キーとしたデータベース検索をデータベースサーバ２０に要求することによって、エレベータ機種・基本価格・台数計画案を取得するが、その後、さらに、以下の処理を実行するようにする。
【０２０１】
ＷＷＷサーバ１０の機種・台数計画依頼受付け部１１は、データ検索要求に含まれていた予算を、エレベータ機種・基本価格・台数計画案に含まれているエレベータ設置台数で割ることによって、エレベータ１台当たりの予算を算出する。そして、エレベータ１台当たりの予算から、エレベータ機種・基本価格・台数計画案に含まれている基本価格を差し引くことによって、１台のエレベータの装備予算額を算出する。そして、この装備予算額を含む予算範囲に対応するグレード名９１１および標準仕様情報９１３を、建屋情報の建屋用途に対応付けられた仕様案作成用情報９１０から取り出して、それらを、エレベータ機種・基本価格・台数計画情報とともに建築設計者用端末６０に返信する。
【０２０２】
これにより、建築設計者用端末６０のディスプレイ装置６３には、エレベータ機種・台数計画表示ページ６２０の代わりにエレベータ仕様案表示ページが開かれる。図３２に示すように、このエレベータ仕様案表示ページ７３０上には、建築設計者が設定した予算７２１、エレベータ機種・台数計画案情報７２２が表示されるほか、建築設計者が設定した予算内で購入可能なエレベータのグレード名７２３、そのグレードのエレベータの標準装備を表す標準仕様情報７２３が表示される。建築設計者は、これらの情報を参考に、予算の見直し、その後の建築設計を進めていくことができる。
【０２０３】
以上、エレベータを受注製品とした場合を例に説明したが、ユーザの要求を反映させながら段階的に設計を進める必要がある受注生産品、すなわち、大量生産に適さない製品であれば、エレベータ以外の製品を受注製品とすることができることは言うまでもない。
【図面の簡単な説明】
【０２０４】
【図１】本発明の一実施形態に係るネットワークシステムの概略構成図である。
【図２】本発明の一実施形態に係るエレベータ機種・基本価格・台数計画マップのデータ構造の概念図である。
【図３】本発明の一実施形態に係るオプション価格管理データベースのデータ構造を概念的に示した図である。
【図４】本発明の一実施形態に係る顧客仕様管理データベースに登録される総合仕様管理情報内の仕様管理情報のデータ構造を概念的に示した図である。
【図５】本発明の一実施形態に係る顧客仕様管理データベースに登録される検討済みのデータ構造を概念的に示した図である。
【図６】本発明の実施の一形態に係る設計支援処理のフローチャート図である。
【図７】図７のＳ１０００における処理のフローチャート図である。
【図８】建築設計者用端末の表示画面上に開かれる一連のＷＷＷページのうちのトップページのレイアウト例を示した図である。
【図９】建築設計者用端末の表示画面上に開かれる一連のＷＷＷページのうち、建築設計者がエレベータ機種・台数計画提供サービスを受けるときのページの変化を示した図である。
【図１０】建築設計者用端末の表示画面上に開かれる一連のＷＷＷページのうち、エレベータの購入価格の見積り額およびその内訳を建築設計者に提示するためのＷＷＷページの一例を示した図である。
【図１１】図７のＳ２０００における処理のフローチャート図である。
【図１２】建築設計者用端末の表示画面上に開かれる一連のＷＷＷページのうち、建築設計者がエレベータＣＡＤシンボル提供サービスを受けるためのページのレイアウト例を示した図である。
【図１３】建築設計者用端末の表示画面上に開かれる一連のＷＷＷページのうち、建築設計者に提供されたエレベータＣＡＤシンボルを表示するページのレイアウト例を示した図である。
【図１４】図７のＳ３０００における処理のフローチャート図である。
【図１５】建築設計者用端末の表示画面上に開かれる一連のＷＷＷページのうち、建築設計者がエレベータ据付図作図サービスを受けるためのページのレイアウト例を示した図である。
【図１６】建築設計者用端末の表示画面上に開かれる一連のＷＷＷページのうち、建築設計者に提供されたエレベータ据付図をダウンロードするためのページのレイアウト例を示した図である。
【図１７】図７のＳ４０００における処理のフローチャート図である。
【図１８】建築設計者用端末の表示画面上に開かれる一連のＷＷＷページのうち、建築設計者がエレベータ意匠図作図サービスを受けるためのページのレイアウト例を示した図である。
【図１９】建築設計者用端末の表示画面上に開かれる一連のＷＷＷページのうち、建築設計者に提供されたエレベータパースデータを表示するページのレイアウト例を示した図である。
【図２０】建築設計者用端末の表示画面上に開かれる一連のＷＷＷページのうち、エレベータの購入価格の見積り額およびその内訳を建築設計者に提示するためのＷＷＷページの一例を示した図である。
【図２１】図７のＳ５０００における処理のフローチャート図である。
【図２２】建築設計者用端末の表示画面上に開かれる一連のＷＷＷページのうち、建築設計者がエレベータ意匠図作図サービスを受けるためのページのレイアウト例を示した図である。
【図２３】エレベータ意匠図作成に利用されるデザイン情報ファイルに格納されるデータ例を示した図である。
【図２４】図７のＳ５０００における処理のフローチャート図である。
【図２５】図７のＳ５０００における処理のフローチャート図である。
【図２６】建築設計者用端末の表示画面上に開かれる一連のＷＷＷページのうち、エレベータの購入価格の見積り額およびその内訳を建築設計者に提示するためのＷＷＷページの一例を示した図である。
【図２７】顧客仕様管理データベースに登録された仕様履歴情報のデータ構造を概念的に示した図である。
【図２８】建築設計者用端末の表示画面上に開かれる一連のＷＷＷページのうち、見積り額の履歴を表示するページのレイアウト例を示した図である。
【図２９】本発明の実施の一形態に係るネットワークシステムの概略構成図である。
【図３０】建築設計者用端末の表示画面上に開かれる一連のＷＷＷページのうち、建築設計者がエレベータ機種・台数計画提供サービスを受けるときのページのレイアウト例を示した図である。
【図３１】建屋用途ごとに準備された仕様案作成用情報のデータ構造を概念的に示した図である。
【図３２】建築設計者用端末の表示画面上に開かれる一連のＷＷＷページのうち、建築設計者の予算に適したエレベータ仕様案が表示されるページのレイアウト例を示した図である。
【図３３】本発明の一実施形態に係るデータベースサーバの記憶装置に格納されたデータベースを概念的に示した図である。
【図３４】本発明の一実施形態に係るエレベータ機種・基本価格・台数計画マップのデータ構造の概念図である。
【図３５】本発明の一実施形態に係るデータベースサーバの記憶装置に格納されたデータベースを概念的に示した図である。
【図３６】図３５の見積り価格データベース２１Ｂ1のデータベースのデータ構造を概念的に示した図である。
【図３７】図３５の見積り価格データベース２１Ｂ2のデータベースのデータ構造を概念的に示した図である。
【図３８】図３５の見積り価格データベース２１Ｂ3のデータベースのデータ構造を概念的に示した図である。
【図３９】エレベータ購入価格の見積り額の算出に用いるエレベータ実績価格モデルの一例を示した図である。
【符号の説明】
【０２０５】
１０…ＷＷＷサーバ
１１…機種・台数計画依頼受付け部
１２…シンボル提供依頼受付け部
１３…据付図作図依頼受付け部
１４…デザインイメージ生成依頼受付け部
１５…意匠図作図図依頼受付け部
１６…価格見積り依頼受付け部
２０…データベースサーバ
２１Ａ〜２１Ｈ…データベース
３０,４０…設備設計者のユーザ端末
６０…建築設計者のユーザ端末
【図１】
0004395503.tif 000002
【図２】
0004395503.tif 000003
【図３】
0004395503.tif 000004
【図４】
0004395503.tif 000005
【図５】
0004395503.tif 000006
【図６】
0004395503.tif 000007
【図７】
0004395503.tif 000008
【図８】
0004395503.tif 000009
【図９】
0004395503.tif 000010
【図１０】
0004395503.tif 000011
【図１１】
0004395503.tif 000012
【図１２】
0004395503.tif 000013
【図１３】
0004395503.tif 000014
【図１４】
0004395503.tif 000015
【図１５】
0004395503.tif 000016
【図１６】
0004395503.tif 000017
【図１７】
0004395503.tif 000018
【図１８】
0004395503.tif 000019
【図１９】
0004395503.tif 000020
【図２０】
0004395503.tif 000021
【図２１】
0004395503.tif 000022
【図２２】
0004395503.tif 000023
【図２３】
0004395503.tif 000024
【図２４】
0004395503.tif 000025
【図２５】
0004395503.tif 000026
【図２６】
0004395503.tif 000027
【図２７】
0004395503.tif 000028
【図２８】
0004395503.tif 000029
【図２９】
0004395503.tif 000030
【図３０】
0004395503.tif 000031
【図３１】
0004395503.tif 000032
【図３２】
0004395503.tif 000033
【図３３】
0004395503.tif 000034
【図３４】
0004395503.tif 000035
【図３５】
0004395503.tif 000036
【図３６】
0004395503.tif 000037
【図３７】
0004395503.tif 000038
【図３８】
0004395503.tif 000039
【図３９】
0004395503.tif 000040